(57)【要約】【課題】電力量計による計量値が正確であるか否かを正確かつ容易に判断可能とする。【解決手段】開始スイッチおよび終了スイッチを有する操作部と、電力量を演算する演算部と、演算された電力量に基づいて積算電力量を演算すると共に測定結果データを生成する処理部とを備え、処理部は、開始スイッチが操作されたときに（ステップ９１）、電力計に積算電力量の演算を開始させ（ステップ９２）、終了スイッチが操作されたときに（ステップ９４）、電力計に積算電力量の演算を終了させ（ステップ９５）、積算電力量データを取得したときに（ステップ９７）、演算された積算電力量、および基準積算電力量を含ませて測定結果データを生成する（ステップ９９）。【選択図】図１１
2017201287.tif 000002
【特許請求の範囲】
【請求項１】
開始スイッチおよび終了スイッチを有する操作部と、導電路を介して負荷に供給されている電力量を演算する演算部と、当該演算部によって演算された前記電力量に基づいて積算電力量を演算すると共に予め規定されたデータ生成条件が満たされたときに測定結果データを生成する処理部とを備えた測定システムであって、
前記処理部は、前記開始スイッチが操作されたときに、前記演算部によって演算された前記電力量に基づく積算電力量の演算を開始し、前記終了スイッチが操作されたときに、前記積算電力量の演算を終了し、前記データ生成条件が満たされたときに、演算した前記積算電力量と、前記開始スイッチが操作されてから前記終了スイッチが操作されるまでの間に演算されるべき基準積算電力量とを含ませて前記測定結果データを生成する測定システム。
【請求項２】
撮像部を備え、
前記処理部は、前記開始スイッチが操作されたときに、前記撮像部を制御して第１の撮像処理を実行させると共に、前記終了スイッチが操作されたときに、当該撮像部を制御して第２の撮像処理を実行させ、前記データ生成条件が満たされたときに、前記第１の撮像処理によって生成された第１の撮像データ、および前記第２の撮像処理によって生成された第２の撮像データを含ませて前記測定結果データを生成する請求項１記載の測定システム。
【請求項３】
前記処理部は、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記基準積算電力量として演算すると共に、前記電力量計が電子式電力量計のときには、計量パルス報知部の１点滅動作当りに前記負荷に供給される積算電力量を前記基準積算電力量として演算する請求項１または２記載の測定システム。
【請求項４】
前記処理部は、前記積算電力量と前記基準積算電力量との相違量を含ませて前記測定結果データを生成する請求項１から３のいずれかに記載の測定システム。
【請求項５】
前記積算電力量を表示可能な表示部を備え、
前記処理部は、前記終了スイッチが操作されるまで前記積算電力量を前記表示部に表示させずに、当該終了スイッチが操作されたときに当該積算電力量を当該表示部に表示させる請求項１から４のいずれかに記載の測定システム。
【請求項６】
前記導電路に印加されている電圧の電圧値を測定する電圧測定部、および当該導電路を流れている電流の電流値を測定する電流測定部を少なくとも有する装置Ａと、
前記操作部を少なくとも有して前記装置Ａとは別体に構成された装置Ｂとを備え、
前記演算部は、前記電圧測定部によって測定された前記電圧値、および前記電流測定部によって測定された前記電流値に基づいて前記電力量を演算可能に構成されて前記装置Ａおよび前記装置Ｂのいずれか一方に配設されている請求項１から５のいずれかに記載の測定システム。
【請求項７】
導電路を介して負荷に供給されている電力量を演算する演算部と、当該演算部によって演算された前記電力量に基づいて積算電力量を演算すると共に予め規定された報知条件が満たされたときに当該積算電力量についての予め規定された第１の情報を報知部から報知させる報知処理を実行する処理部とを備えた測定システムであって、
前記処理部は、前記報知処理において、予め規定された開始条件が満たされたときに前記積算電力量の演算を開始すると共に、当該積算電力量が予め指定された第１の値のＮ倍（Ｎは、予め規定された任意の自然数）に達したときに前記報知条件が満たされたとして当該積算電力量が当該第１の値のＮ倍に達したことを特定可能な情報を前記第１の情報として前記報知部から報知させる測定システム。
【請求項８】
前記処理部は、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記第１の値として演算すると共に、前記電力量計が電子式電力量計のときには、計量パルス報知部の１点滅動作当りに前記負荷に供給される積算電力量を前記第１の値として演算する請求項７記載の測定システム。
【請求項９】
前記導電路に印加されている電圧の電圧値を測定する電圧測定部、および当該導電路を流れている電流の電流値を測定する電流測定部を少なくとも有する第１の装置と、
前記積算電力量の演算の開始を指示する開始スイッチを有する操作部、撮像部、および前記報知部としての表示部を少なくとも有して前記第１の装置とは別体に構成された第２の装置とを備え、
前記演算部は、前記電圧測定部によって測定された前記電圧値、および前記電流測定部によって測定された前記電流値に基づいて前記電力量を演算し、
前記処理部は、前記開始スイッチが操作されたときに、前記開始条件が満たされたとして前記積算電力量の演算を開始し、かつ前記撮像部を制御して第１の撮像処理を実行させると共に、前記積算電力量が前記第１の値のＮ倍に達したときに前記報知条件が満たされたとして前記撮像部を制御して第２の撮像処理を実行させ、かつ前記第１の撮像処理によって生成された第１の撮像データに基づく第１の画像、および前記第２の撮像処理によって生成された第２の撮像データに基づく第２の画像を前記第１の情報として前記表示部に表示させる請求項７または８記載の測定システム。
【請求項１０】
前記処理部は、前記積算電力量が前記第１の値のＮ倍とは異なる予め規定された第２の値に達したときに前記撮像部を制御して第３の撮像処理を実行させると共に、前記第３の撮像処理によって生成された第３の撮像データに基づく第３の画像を前記第１の画像および前記第２の画像と共に前記表示部に表示させる請求項９記載の測定システム。
【請求項１１】
前記処理部は、前記報知条件が満たされたときに、前記開始スイッチが操作された時点から当該報知条件が満たされた時点までの間の前記積算電力量と、前記第１の値のＮ倍の値との相違量を特定可能な第２の情報を前記第１の情報と共に前記表示部に表示させる請求項９または１０記載の測定システム。
【請求項１２】
前記積算電力量の演算の開始を指示する開始スイッチを有する操作部を備え、
前記処理部は、前記開始スイッチが操作されたときに前記開始条件が満たされたとして前記積算電力量の演算を開始する請求項７または８記載の測定システム。
【請求項１３】
前記操作部は、前記処理部によって演算される前記積算電力量をホールドするホールドスイッチを備え、
前記処理部は、前記ホールドスイッチが操作されたときに、前記報知条件が満たされたとして当該開始スイッチが操作された時点から当該ホールドスイッチが操作された時点までの間の前記積算電力量と、前記第１の値のＮ倍の値との相違量を特定可能な第２の情報を前記第１の情報と共に前記報知部から報知させる請求項１２記載の測定システム。
【請求項１４】
開始スイッチおよび終了スイッチを有する操作部と、導電路を介して負荷に供給されている電力量を演算する演算部と、当該演算部によって演算された前記電力量に基づいて積算電力量を演算すると共に予め規定されたデータ生成条件が満たされたときに測定結果データを生成する処理部とを備えた測定システムにおける当該処理部に当該積算電力量の演算および当該測定結果データの生成を実行させる測定システム用プログラムであって、
前記開始スイッチが操作されたときに、前記演算部によって演算された前記電力量に基づく積算電力量の演算を開始し、前記終了スイッチが操作されたときに、前記積算電力量の演算を終了し、前記データ生成条件が満たされたときに、演算した前記積算電力量と、前記開始スイッチが操作されてから前記終了スイッチが操作されるまでの間に演算されるべき基準積算電力量とを含ませて前記測定結果データを生成する処理を前記処理部に実行させる測定システム用プログラム。
【請求項１５】
前記開始スイッチが操作されたときに、前記測定システムの撮像部を制御して第１の撮像処理を実行させると共に、前記終了スイッチが操作されたときに、当該撮像部を制御して第２の撮像処理を実行させ、前記データ生成条件が満たされたときに、前記第１の撮像処理によって生成された第１の撮像データ、および前記第２の撮像処理によって生成された第２の撮像データを含ませて前記測定結果データを生成する処理を前記処理部に実行させる請求項１４記載の測定システム用プログラム。
【請求項１６】
前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記基準積算電力量として演算すると共に、前記電力量計が電子式電力量計のときには、計量パルス報知部の１点滅動作当りに前記負荷に供給される積算電力量を前記基準積算電力量として演算する処理を前記処理部に実行させる請求項１４または１５記載の測定システム用プログラム。
【請求項１７】
前記積算電力量と前記基準積算電力量との相違量を含ませて前記測定結果データを生成する処理を前記処理部に実行させる請求項１４から１６のいずれかに記載の測定システム用プログラム。
【請求項１８】
前記積算電力量を表示可能な表示部を備えた前記測定システムにおける前記処理部に対して、前記終了スイッチが操作されるまで前記積算電力量を前記表示部に表示させずに、当該終了スイッチが操作されたときに当該積算電力量を当該表示部に表示させる処理を実行させる請求項１４から１７のいずれかに記載の測定システム用プログラム。
【請求項１９】
導電路を介して負荷に供給されている電力量を演算する演算部と、当該演算部によって演算された前記電力量に基づいて積算電力量を演算すると共に予め規定された報知条件が満たされたときに当該積算電力量についての予め規定された第１の情報を報知部から報知させる報知処理を実行する処理部とを備えた測定システムにおける当該処理部に当該報知処理を実行させる測定システム用プログラムであって、
前記報知処理において、予め規定された開始条件が満たされたときに前記積算電力量の演算を開始すると共に、当該積算電力量が予め指定された第１の値のＮ倍（Ｎは、予め規定された任意の自然数）に達したときに前記報知条件が満たされたとして当該積算電力量が当該第１の値のＮ倍に達したことを特定可能な情報を前記第１の情報として前記報知部から報知させる処理を前記処理部に実行させる測定システム用プログラム。
【請求項２０】
前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記第１の値として演算すると共に、前記電力量計が電子式電力量計のときには、計量パルス報知部の１点滅動作当りに前記負荷に供給される積算電力量を前記第１の値として演算する処理を前記処理部に実行させる請求項１９記載の測定システム用プログラム。
【請求項２１】
前記導電路に印加されている電圧の電圧値を測定する電圧測定部、および当該導電路を流れている電流の電流値を測定する電流測定部を少なくとも有する第１の装置と、前記積算電力量の演算の開始を指示する開始スイッチを有する操作部、撮像部、および前記報知部としての表示部を少なくとも有して前記第１の装置とは別体に構成された第２の装置とを備え、前記演算部が、前記電圧測定部によって測定された前記電圧値、および前記電流測定部によって測定された前記電流値に基づいて前記電力量を演算する前記測定システムにおける前記処理部に対して、前記開始スイッチが操作されたときに、前記開始条件が満たされたとして前記積算電力量の演算を開始し、かつ前記撮像部を制御して第１の撮像処理を実行させると共に、前記積算電力量が前記第１の値のＮ倍に達したときに前記報知条件が満たされたとして前記撮像部を制御して第２の撮像処理を実行させ、かつ前記第１の撮像処理によって生成された第１の撮像データに基づく第１の画像、および前記第２の撮像処理によって生成された第２の撮像データに基づく第２の画像を前記第１の情報として前記表示部に表示させる処理を実行させる請求項１９または２０記載の測定システム用プログラム。
【請求項２２】
前記積算電力量が前記第１の値のＮ倍とは異なる予め規定された第２の値に達したときに前記撮像部を制御して第３の撮像処理を実行させると共に、前記第３の撮像処理によって生成された第３の撮像データに基づく第３の画像を前記第１の画像および前記第２の画像と共に前記表示部に表示させる処理を前記処理部に実行させる請求項２１記載の測定システム用プログラム。
【請求項２３】
前記報知条件が満たされたときに、前記開始スイッチが操作された時点から当該報知条件が満たされた時点までの間の前記積算電力量と、前記第１の値のＮ倍の値との相違量を特定可能な第２の情報を前記第１の情報と共に前記表示部に表示させる処理を前記処理部に実行させる請求項２１または２２記載の測定システム用プログラム。
【発明の詳細な説明】
【技術分野】
【０００１】
本発明は、導電路を介して負荷に供給された積算電力量についての情報を提供可能に構成された測定システム、および測定システムの処理部に上記の情報の提供に必要な処理を実行させる測定システム用プログラムに関するものである。
【背景技術】
【０００２】
この種の測定システムとして、出願人は、下記の特許文献に積算電力計を開示している。出願人が開示している積算電力計は、被測定ライン（測定対象の導電路）を流れる電流を検出する電流センサと、被測定ラインに印加されている電圧を検出する電圧センサと、複数の測定レンジが切替え可能に設けられて両センサから出力された信号を信号処理する入力部と、入力部から出力された信号をＡ／Ｄ変換処理するＡ／Ｄ変換器と、Ａ／Ｄ変換器から出力されたデータに基づいて電力量等を演算する制御手段（ＣＰＵ）と、操作手段および表示手段とを備えて構成されている。
【０００３】
この積算電力計を用いた測定処理、およびその結果の報知処理では、電流センサおよび電圧センサから出力されて入力部において信号処理された信号がＡ／Ｄ変換器に入力されることにより、入力部における測定レンジの切替え状態に応じた電流値のデータおよび電圧値のデータがＡ／Ｄ変換器から出力される。この際に、ＣＰＵは、Ａ／Ｄ変換器から出力された両データに基づいて瞬時電力（瞬時電力量）を演算すると共に、新たなデータに基づいて新たな瞬時電力量を演算する都度、その値を積算して（積算電力用メモリ内の値に順次加算して）積算電力（積算電力量）を求める。また、ＣＰＵは、同特許文献に開示の手順に従い、瞬時電力の誤差を演算して積算する処理（電力誤差用メモリ内の値に順次加算する処理）を上記の処理と並行して実行する。
【０００４】
この後、ＣＰＵは、例えば上記の積算を終了させる操作が行われたときに、積算電力用メモリから積算電力量を読み出すと共に、電力誤差用メモリから電力量の測定誤差（誤差の積算値：測定誤差量）を読み出し、読み出した積算電力量および測定誤差量を表示手段に表示させたり、プリンタによって印刷させたりする。以上により、測定処理および測定結果の報知処理が完了する。
【先行技術文献】
【特許文献】
【０００５】
【特許文献１】特開２００２−２８６７６８号公報（第３−４頁、第１−２図）
【発明の概要】
【発明が解決しようとする課題】
【０００６】
ところが、出願人が開示している積算電力計には、以下のような改善すべき課題が存在する。具体的には、出願人が開示している積算電力計では、測定対象の導電路について測定した電流値および電圧値に基づいて瞬時電力量を逐次演算し、その演算結果を所定時間に亘って積算することにより、導電路を介して所定時間内に供給された積算電力量を求めて測定誤差量と共に表示または印刷する構成が採用されている。
【０００７】
この場合、この種のシステム（装置）の測定対象である導電路には、一定期間内に使用された電力量や負荷の動作状態の把握を目的として、積算電力量を継続的に計量する電力量計が設置されている。しかしながら、電力量計をバイパスする導電路を並設したり、電力量計を改造したりして計量値を過小表示させる盗電行為や、電力量計の故障等に起因して正確な計量値が得られない事故などが発生している現状がある。このため、バイパス路の並設や、電力量計の改造・故障・劣化など（以下、これらを総称して「電力量計の異常」ともいう）の有無を確認する必要が生じることがある。
【０００８】
この際に、電源設備（導電路や電力量計）の所有者と、バイパス路の並設や電力量計の異常の有無を確認する作業者とが異なるときには、所有者が、上記の積算電力計等を用いて測定された測定結果（導電路を介して所定時間内に供給された積算電力量）に関して作業者から報告を受けたときに、その測定結果（測定された積算電力量）が、バイパス路の並設や電力量計の異常を示す測定結果であるのか、バイパス路が存在せず、電力量計が正常であることを示す測定結果であるかを直ちに把握することが困難となっている。このため、この点を改善するのが好ましい。
【０００９】
また、所有者と作業者とが異なるときには、電源設備の実態とは異なる確認結果が作業者から所有者に提供される可能性がある。具体的には、例えば、出願人が開示している積算電力計を用いて上記のような作業を実施して確認結果としての積算電力量および測定誤差量の印刷物を電源設備の所有者に対して提供する際に、実際にはバイパス路の並設や電力量計の異常が生じていたとしても、バイパス路の並設や電力量計の異常が生じていない正常状態において測定されるべき積算電力量が測定された時点で測定処理を停止させることにより、正常状態において測定されるべき積算電力量で、測定誤差量が「０」の印刷物が生成されてしまう。このため、提供された印刷物を見た所有者が、電源設備の実態を正しく把握することができなくなるため、この点を改善するのが好ましい。
【００１０】
一方、作業者が実態とは異なる確認結果を提供するおそれがない場合や、所有者自身が確認作業を実施する場合には、積算電力計を用いて測定した積算電力量と、確認対象の電力量計による計量値とを比較することにより、前述したような事象（バイパス路の並設や電力量計の異常）が生じているか否かを判別することができる。しかしながら、上記のような電力量計の多くは、その計量値（積算電力量）の表示部（以下、「計量値表示部」ともいう）の最小単位が「０．１」（０．１ｋＷｈ、０．１ｋＷｍおよび０．１ｋＷｓなど）となっている。
【００１１】
したがって、出願人が開示している積算電力計のような測定システムによって測定した積算電力量と、確認対象の電力量計による計量値とを比較することで前述したような事象が生じているか否かを判別しようとしたときには、電力量計の計量値が最小単位の例えば０．１ｋＷｈ分変化するまで（計量値表示部の表示が更新されるまで）測定システムによる測定処理を継続する必要がある。このため、上記のような事象の有無を確認するのに長い時間を要することがある。
【００１２】
また、誘導形電力量計（機械式の電力量計）を確認対象とするときには、計量値表示部が機械式（数値ドラム式）であることに起因して、表示値の更新タイミングに遅れが生じることがある。したがって、実際には前述したような事象が生じていないにも拘わらず、計量値表示値に表示される計量値が最小単位の例えば０．１ｋＷｈ分大きくなる（表示値が更新される）間に上記のようなシステム（装置）によって測定された積算電力量が０．１ｋＷｈよりも大きな値となり、判断を誤るおそれがある。
【００１３】
一方、誘導形電力量計には、外部から目視可能な計量用円板が配設されており、この計量用円板の回転状態を見ることで、導電路を介しての電力の供給状態を把握することが可能となっている。また、誘導形電力量計には、「○○○ｒｅｖ／□□ｋＷｈ」などの計器定数（□□ｋＷｈを計量する間に計量用円板が○○○回転するとの情報）が記されており、この計器定数に基づいて計量用円板の１回転当りに計量される計量値を算出することが可能となっている。
【００１４】
さらに、電子式電力量計には、積算電力量が規定量に達する都度、点滅（瞬間的に発光）させられる発光部（計量パルス報知部）が設けられており、この計量パルス報知部の点滅状態を見ることで、導電路を介しての電力の供給状態を把握することが可能となっている。また、電子式電力量計には、「○○○ｐｕｌｓｅ／□□ｋＷｈ」などの計器定数（□□ｋＷｈを計量する間に計量パルス報知部が○○○回点滅するとの情報）が記されており、この計器定数に基づいて計量パルス報知部の１点滅動作当りに計量される計量値を算出することが可能となっている。
【００１５】
したがって、例えば、誘導形電力量計を確認対象とする際に、計量用円板の１回転当りに計量される計量値を計器定数に基づいて予め算出しておき、積算電力計を用いて、計量用円板の１回転当りにおける積算電力量を測定し、測定結果と算出した値とを比較することで前述したような事象の有無を確認することが可能となる。
【００１６】
しかしながら、例えば、積算電力計に設けられているスイッチの操作（測定開始および測定終了のタイミングを指示する操作）によって計量用円板の１回転当りにおける積算電力量を測定する場合、この種の装置の操作に不慣れな者にとっては、測定開始および測定終了の２回の操作を計量用円板の回転に同期してそれぞれ正確に行うのは容易ではない。このため、特に、多くの電力が供給されている状態（計量用円板がある程度高速に回転している状態）では、計量用円板の１回転当りにおける積算電力量を正確に測定することができるまで複数回に亘って測定作業を行う必要が生じることがあるため、この点を改善するのが好ましい。
【００１７】
本発明は、かかる問題点に鑑みてなされたものであり、電力量計による計量値が正確であるか否かを正確かつ容易に判断し得る情報を提供可能な測定システムおよび測定システム用プログラムを提供することを主目的とする。
【課題を解決するための手段】
【００１８】
上記目的を達成すべく、請求項１記載の測定システムは、開始スイッチおよび終了スイッチを有する操作部と、導電路を介して負荷に供給されている電力量を演算する演算部と、当該演算部によって演算された前記電力量に基づいて積算電力量を演算すると共に予め規定されたデータ生成条件が満たされたときに測定結果データを生成する処理部とを備えた測定システムであって、前記処理部は、前記開始スイッチが操作されたときに、前記演算部によって演算された前記電力量に基づく積算電力量の演算を開始し、前記終了スイッチが操作されたときに、前記積算電力量の演算を終了し、前記データ生成条件が満たされたときに、演算した前記積算電力量と、前記開始スイッチが操作されてから前記終了スイッチが操作されるまでの間に演算されるべき基準積算電力量とを含ませて前記測定結果データを生成する。
【００１９】
請求項２記載の測定システムは、請求項１記載の測定システムにおいて、撮像部を備え、前記処理部は、前記開始スイッチが操作されたときに、前記撮像部を制御して第１の撮像処理を実行させると共に、前記終了スイッチが操作されたときに、当該撮像部を制御して第２の撮像処理を実行させ、前記データ生成条件が満たされたときに、前記第１の撮像処理によって生成された第１の撮像データ、および前記第２の撮像処理によって生成された第２の撮像データを含ませて前記測定結果データを生成する。
【００２０】
請求項３記載の測定システムは、請求項１または２記載の測定システムにおいて、前記処理部は、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記基準積算電力量として演算すると共に、前記電力量計が電子式電力量計のときには、計量パルス報知部の１点滅動作当りに前記負荷に供給される積算電力量を前記基準積算電力量として演算する。
【００２１】
請求項４記載の測定システムは、請求項１から３のいずれかに記載の測定システムにおいて、前記処理部は、前記積算電力量と前記基準積算電力量との相違量を含ませて前記測定結果データを生成する。
【００２２】
請求項５記載の測定システムは、請求項１から４のいずれかに記載の測定システムにおいて、前記積算電力量を表示可能な表示部を備え、前記処理部は、前記終了スイッチが操作されるまで前記積算電力量を前記表示部に表示させずに、当該終了スイッチが操作されたときに当該積算電力量を当該表示部に表示させる。
【００２３】
請求項６記載の測定システムは、請求項１から５のいずれかに記載の測定システムにおいて、前記導電路に印加されている電圧の電圧値を測定する電圧測定部、および当該導電路を流れている電流の電流値を測定する電流測定部を少なくとも有する装置Ａと、前記操作部を少なくとも有して前記装置Ａとは別体に構成された装置Ｂとを備え、前記演算部は、前記電圧測定部によって測定された前記電圧値、および前記電流測定部によって測定された前記電流値に基づいて前記電力量を演算可能に構成されて前記装置Ａおよび前記装置Ｂのいずれか一方に配設されている。
【００２４】
請求項７記載の測定システムは、導電路を介して負荷に供給されている電力量を演算する演算部と、当該演算部によって演算された前記電力量に基づいて積算電力量を演算すると共に予め規定された報知条件が満たされたときに当該積算電力量についての予め規定された第１の情報を報知部から報知させる報知処理を実行する処理部とを備えた測定システムであって、前記処理部は、前記報知処理において、予め規定された開始条件が満たされたときに前記積算電力量の演算を開始すると共に、当該積算電力量が予め指定された第１の値のＮ倍（Ｎは、予め規定された任意の自然数）に達したときに前記報知条件が満たされたとして当該積算電力量が当該第１の値のＮ倍に達したことを特定可能な情報を前記第１の情報として前記報知部から報知させる。
【００２５】
請求項８記載の測定システムは、請求項７記載の測定システムにおいて、前記処理部は、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記第１の値として演算すると共に、前記電力量計が電子式電力量計のときには、計量パルス報知部の１点滅動作当りに前記負荷に供給される積算電力量を前記第１の値として演算する。
【００２６】
請求項９記載の測定システムは、請求項７または８記載の測定システムにおいて、前記導電路に印加されている電圧の電圧値を測定する電圧測定部、および当該導電路を流れている電流の電流値を測定する電流測定部を少なくとも有する第１の装置と、前記積算電力量の演算の開始を指示する開始スイッチを有する操作部、撮像部、および前記報知部としての表示部を少なくとも有して前記第１の装置とは別体に構成された第２の装置とを備え、前記演算部は、前記電圧測定部によって測定された前記電圧値、および前記電流測定部によって測定された前記電流値に基づいて前記電力量を演算し、前記処理部は、前記開始スイッチが操作されたときに、前記開始条件が満たされたとして前記積算電力量の演算を開始し、かつ前記撮像部を制御して第１の撮像処理を実行させると共に、前記積算電力量が前記第１の値のＮ倍に達したときに前記報知条件が満たされたとして前記撮像部を制御して第２の撮像処理を実行させ、かつ前記第１の撮像処理によって生成された第１の撮像データに基づく第１の画像、および前記第２の撮像処理によって生成された第２の撮像データに基づく第２の画像を前記第１の情報として前記表示部に表示させる。
【００２７】
請求項１０記載の測定システムは、請求項９記載の測定システムにおいて、前記処理部は、前記積算電力量が前記第１の値のＮ倍とは異なる予め規定された第２の値に達したときに前記撮像部を制御して第３の撮像処理を実行させると共に、前記第３の撮像処理によって生成された第３の撮像データに基づく第３の画像を前記第１の画像および前記第２の画像と共に前記表示部に表示させる。
【００２８】
請求項１１記載の測定システムは、請求項９または１０記載の測定システムにおいて、前記処理部は、前記報知条件が満たされたときに、前記開始スイッチが操作された時点から当該報知条件が満たされた時点までの間の前記積算電力量と、前記第１の値のＮ倍の値との相違量を特定可能な第２の情報を前記第１の情報と共に前記表示部に表示させる。
【００２９】
請求項１２記載の測定システムは、請求項７または８記載の測定システムにおいて、前記積算電力量の演算の開始を指示する開始スイッチを有する操作部を備え、前記処理部は、前記開始スイッチが操作されたときに前記開始条件が満たされたとして前記積算電力量の演算を開始する。
【００３０】
請求項１３記載の測定システムは、請求項１２記載の測定システムにおいて、前記操作部は、前記処理部によって演算される前記積算電力量をホールドするホールドスイッチを備え、前記処理部は、前記ホールドスイッチが操作されたときに、前記報知条件が満たされたとして当該開始スイッチが操作された時点から当該ホールドスイッチが操作された時点までの間の前記積算電力量と、前記第１の値のＮ倍の値との相違量を特定可能な第２の情報を前記第１の情報と共に前記報知部から報知させる。
【００３１】
請求項１４記載の測定システム用プログラムは、開始スイッチおよび終了スイッチを有する操作部と、導電路を介して負荷に供給されている電力量を演算する演算部と、当該演算部によって演算された前記電力量に基づいて積算電力量を演算すると共に予め規定されたデータ生成条件が満たされたときに測定結果データを生成する処理部とを備えた測定システムにおける当該処理部に当該積算電力量の演算および当該測定結果データの生成を実行させる測定システム用プログラムであって、前記開始スイッチが操作されたときに、前記演算部によって演算された前記電力量に基づく積算電力量の演算を開始し、前記終了スイッチが操作されたときに、前記積算電力量の演算を終了し、前記データ生成条件が満たされたときに、演算した前記積算電力量と、前記開始スイッチが操作されてから前記終了スイッチが操作されるまでの間に演算されるべき基準積算電力量とを含ませて前記測定結果データを生成する処理を前記処理部に実行させる。
【００３２】
請求項１５記載の測定システム用プログラムは、請求項１４記載の測定システム用プログラムにおいて、前記開始スイッチが操作されたときに、前記測定システムの撮像部を制御して第１の撮像処理を実行させると共に、前記終了スイッチが操作されたときに、当該撮像部を制御して第２の撮像処理を実行させ、前記データ生成条件が満たされたときに、前記第１の撮像処理によって生成された第１の撮像データ、および前記第２の撮像処理によって生成された第２の撮像データを含ませて前記測定結果データを生成する処理を前記処理部に実行させる。
【００３３】
請求項１６記載の測定システム用プログラムは、請求項１４または１５記載の測定システム用プログラムにおいて、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記基準積算電力量として演算すると共に、前記電力量計が電子式電力量計のときには、計量パルス報知部の１点滅動作当りに前記負荷に供給される積算電力量を前記基準積算電力量として演算する処理を前記処理部に実行させる。
【００３４】
請求項１７記載の測定システム用プログラムは、請求項１４から１６のいずれかに記載の測定システム用プログラムにおいて、前記積算電力量と前記基準積算電力量との相違量を含ませて前記測定結果データを生成する処理を前記処理部に実行させる。
【００３５】
請求項１８記載の測定システム用プログラムは、請求項１４から１７のいずれかに記載の測定システムにおいて、前記積算電力量を表示可能な表示部を備えた前記測定システムにおける前記処理部に対して、前記終了スイッチが操作されるまで前記積算電力量を前記表示部に表示させずに、当該終了スイッチが操作されたときに当該積算電力量を当該表示部に表示させる処理を実行させる。
【００３６】
請求項１９記載の測定システム用プログラムは、導電路を介して負荷に供給されている電力量を演算する演算部と、当該演算部によって演算された前記電力量に基づいて積算電力量を演算すると共に予め規定された報知条件が満たされたときに当該積算電力量についての予め規定された第１の情報を報知部から報知させる報知処理を実行する処理部とを備えた測定システムにおける当該処理部に当該報知処理を実行させる測定システム用プログラムであって、前記報知処理において、予め規定された開始条件が満たされたときに前記積算電力量の演算を開始すると共に、当該積算電力量が予め指定された第１の値のＮ倍（Ｎは、予め規定された任意の自然数）に達したときに前記報知条件が満たされたとして当該積算電力量が当該第１の値のＮ倍に達したことを特定可能な情報を前記第１の情報として前記報知部から報知させる処理を前記処理部に実行させる。
【００３７】
請求項２０記載の測定システム用プログラムは、請求項１９記載の測定システム用プログラムにおいて、前記導電路に設置されている電力量計の計器定数を特定可能な計器定数データを取得したときに、当該計器定数データによって特定される前記計器定数に基づき、前記電力量計が誘導形電力量計のときには、計量用円板の１回転当りに前記負荷に供給される積算電力量を前記第１の値として演算すると共に、前記電力量計が電子式電力量計のときには、計量パルス報知部の１点滅動作当りに前記負荷に供給される積算電力量を前記第１の値として演算する処理を前記処理部に実行させる。
【００３８】
請求項２１記載の測定システム用プログラムは、請求項１９または２０記載の測定システム用プログラムにおいて、前記導電路に印加されている電圧の電圧値を測定する電圧測定部、および当該導電路を流れている電流の電流値を測定する電流測定部を少なくとも有する第１の装置と、前記積算電力量の演算の開始を指示する開始スイッチを有する操作部、撮像部、および前記報知部としての表示部を少なくとも有して前記第１の装置とは別体に構成された第２の装置とを備え、前記演算部が、前記電圧測定部によって測定された前記電圧値、および前記電流測定部によって測定された前記電流値に基づいて前記電力量を演算する前記測定システムにおける前記処理部に対して、前記開始スイッチが操作されたときに、前記開始条件が満たされたとして前記積算電力量の演算を開始し、かつ前記撮像部を制御して第１の撮像処理を実行させると共に、前記積算電力量が前記第１の値のＮ倍に達したときに前記報知条件が満たされたとして前記撮像部を制御して第２の撮像処理を実行させ、かつ前記第１の撮像処理によって生成された第１の撮像データに基づく第１の画像、および前記第２の撮像処理によって生成された第２の撮像データに基づく第２の画像を前記第１の情報として前記表示部に表示させる処理を実行させる。
【００３９】
請求項２２記載の測定システム用プログラムは、請求項２１記載の測定システム用プログラムにおいて、前記積算電力量が前記第１の値のＮ倍とは異なる予め規定された第２の値に達したときに前記撮像部を制御して第３の撮像処理を実行させると共に、前記第３の撮像処理によって生成された第３の撮像データに基づく第３の画像を前記第１の画像および前記第２の画像と共に前記表示部に表示させる処理を前記処理部に実行させる。
【００４０】
請求項２３記載の測定システム用プログラムは、請求項２１または２２記載の測定システム用プログラムにおいて、前記報知条件が満たされたときに、前記開始スイッチが操作された時点から当該報知条件が満たされた時点までの間の前記積算電力量と、前記第１の値のＮ倍の値との相違量を特定可能な第２の情報を前記第１の情報と共に前記表示部に表示させる処理を前記処理部に実行させる。
【発明の効果】
【００４１】
請求項１記載の測定システムでは、処理部が、開始スイッチが操作されたときに、演算部によって演算された電力量に基づく積算電力量の演算を開始し、終了スイッチが操作されたときに、積算電力量の演算を終了し、データ生成条件が満たされたときに、演算した積算電力量と、開始スイッチが操作されてから終了スイッチが操作されるまでの間に演算されるべき基準積算電力量とを含ませて測定結果データを生成する。また、請求項１４記載の測定システム用プログラムは、上記の処理を測定システムの処理部に実行させる。したがって、請求項１記載の測定システム、および請求項１４記載の測定システム用プログラムによれば、生成される測定結果データの内容を参照するだけで、実測された積算電力量と、本来測定されるべき基準積算電力量とを対比して、電力量計の異常を示す測定結果であるのか電力量計が正常であることを示す測定結果であるかを直ちに判断することが可能となる。
【００４２】
また、請求項２記載の測定システムでは、処理部が、開始スイッチが操作されたときに、撮像部を制御して第１の撮像処理を実行させると共に、終了スイッチが操作されたときに、撮像部を制御して第２の撮像処理を実行させ、データ生成条件が満たされたときに、第１の撮像処理によって生成された第１の撮像データ、および第２の撮像処理によって生成された第２の撮像データを含ませて測定結果データを生成する。また、請求項１５記載の測定システム用プログラムは、上記の処理を測定システムの処理部に実行させる。
【００４３】
したがって、請求項２記載の測定システム、および請求項１５記載の測定システム用プログラムによれば、第１の撮像処理によって生成された第１の撮像データの像、および第２の撮像処理によって生成された第２の撮像データの像の双方に電力量計の計量用円板のマーク付与部（または、点灯状態の計量パルス報知部）が写っていれば、測定結果データに含まれている積算電力量が正しい測定作業によって得られた値であると特定することができ、第１撮像データの像、および第２の撮像データの像のいずれかに電力量計の計量用円板のマーク付与部（または、点灯状態の計量パルス報知部）が写っていなければ、測定結果データに含まれている積算電力量が正しい測定作業によって得られた値ではないと特定することができる。これにより、基準積算電力量や実測された積算電力量だけで構成された測定結果データを生成するのと比較して、電力量計が積算電力量を正確に計量しているか否かを正確かつ容易に判断し得る測定結果データを確実かつ容易に生成することができる。
【００４４】
請求項３記載の測定システムでは、処理部は、電力量計の計器定数を特定可能な計器定数データを取得したときに、計器定数データによって特定される計器定数に基づき、電力量計が誘導形電力量計のときには、計量用円板の１回転当りに負荷に供給される積算電力量を基準積算電力量として演算すると共に、電力量計が電子式電力量計のときには、計量パルス報知部の１点滅動作当りに負荷に供給される積算電力量を基準積算電力量として演算し、演算した基準積算電力量を含ませて測定結果データを生成する。また、請求項１６記載の測定システム用プログラムは、上記の処理を測定システムの処理部に実行させる。したがって、請求項３記載の測定システム、および請求項１６記載の測定システム用プログラムによれば、測定結果データに含まれている積算電力量（実測値）が、正確に計量している状態の電力量計によって計量されるべき積算電力量（基準値）と一致しているか否かを容易に特定可能な測定結果データを提供することができる。
【００４５】
請求項４記載の測定システムでは、処理部が、積算電力量と基準積算電力量との相違量を含ませて測定結果データを生成する。また、請求項１７記載の測定システム用プログラムは、上記の処理を測定システムの処理部に実行させる。したがって、請求項４記載の測定システム、および請求項１７記載の測定システム用プログラムによれば、測定結果データに含まれている積算電力量（実測値）が、正確に計量している状態の電力量計によって計量されるべき積算電力量（基準値）とどの程度相違しているかを容易に特定可能な測定結果データを提供することができる。
【００４６】
請求項５記載の測定システムでは、処理部が、終了スイッチが操作されるまで積算電力量を表示部に表示させずに、終了スイッチが操作されたときに積算電力量を表示部に表示させる。また、請求項１８記載の測定システム用プログラムは、上記の処理を測定システムの処理部に実行させる。したがって、請求項５記載の測定システム、および請求項１８記載の測定システム用プログラムによれば、測定中の積算電力量の値に応じて終了スイッチを操作するタイミングを特定することができないため、実態とは異なる積算電力量が含まれた測定結果データが生成される事態を好適に回避することができる。
【００４７】
請求項６記載の測定システムでは、導電路に印加されている電圧の電圧値を測定する電圧測定部、および導電路を流れている電流の電流値を測定する電流測定部を少なくとも有する装置Ａと、操作部および撮像部を少なくとも有して装置Ａとは別体に構成された装置Ｂとを備え、演算部が、電圧測定部によって測定された電圧値、および電流測定部によって測定された電流値に基づいて電力量を演算可能に構成されて装置Ａおよび前記装置Ｂのいずれか一方に配設されている。
【００４８】
したがって、請求項６記載の測定システム、およびそのような測定システムにインストールされた測定システム用プログラムによれば、電圧測定部および電流測定部による電圧値データおよび電流値データの取得を行う部位と、電力量計の設置場所とがある程度離れていても、電力量計を確実に撮像可能な場所で「開始スイッチ」や「終了スイッチ」を操作することができる。
【００４９】
請求項７記載の測定システムでは、処理部が、報知処理において、開始条件が満たされたときに積算電力量の演算を開始すると共に、積算電力量が予め指定された第１の値のＮ倍に達したときに報知条件が満たされたとして積算電力量が第１の値のＮ倍に達したことを特定可能な情報を第１の情報として報知部から報知させる。また、請求項１９記載の測定システム用プログラムは、上記の報知処理を測定システムの処理部に実行させる。
【００５０】
したがって、請求項７記載の測定システム、および請求項１９記載の測定システム用プログラムによれば、積算電力量の演算を開始させる指示を行った後に、導電路に設置されている電力量計の計量用円板、または計量パルス報知部を観察し、積算電力量が第１の値のＮ倍に達したことが報知部から報知されたときに、計量用円板の回転量や計量パルス報知部の点灯状態と比較するだけで、電力量計が積算電力量を正確に計量しているか否かを正確かつ容易に判断することができる。
【００５１】
請求項８記載の測定システムでは、処理部が、電力量計の計器定数を特定可能な計器定数データを取得したときに、計器定数データによって特定される計器定数に基づき、電力量計が誘導形電力量計のときには、計量用円板の１回転当りに負荷に供給される積算電力量を第１の値として演算すると共に、電力量計が電子式電力量計のときには、計量パルス報知部の１点滅動作当りに負荷に供給される積算電力量を第１の値として演算する。また、請求項２０記載の測定システム用プログラムでは、第１の値を演算する上記の処理を測定システムの処理部に実行させる。
【００５２】
したがって、請求項８記載の測定システム、および請求項２０記載の測定システム用プログラムによれば、計器定数が異なる各種の電力量計を対象として、第１の値を事前に算出する作業を行うことなく、電力量計に記されている計器定数を指定するだけで、正しい第１の値を演算させる（指定する）ことができるため、この種の測定システムを使用した測定作業に不慣れな者であっても、電力量計が積算電力量を正確に計量しているか否かを一層正確かつ一層容易に判断することができる。
【００５３】
請求項９記載の測定システムでは、電圧測定部および電流測定部を少なくとも有する第１の装置と、積算電力量の演算の開始を指示する開始スイッチを有する操作部、撮像部、および報知部としての表示部を少なくとも有して第１の装置とは別体に構成された第２の装置とを備え、処理部が、開始スイッチが操作されたときに開始条件が満たされたとして積算電力量の演算を開始し、かつ撮像部を制御して第１の撮像処理を実行させると共に、積算電力量が第１の値のＮ倍に達したときに報知条件が満たされたとして撮像部を制御して第２の撮像処理を実行させ、かつ第１の撮像処理によって生成された第１の撮像データに基づく第１の画像、および第２の撮像処理によって生成された第２の撮像データに基づく第２の画像を第１の情報として表示部に表示させる。また、請求項２１記載の測定システム用プログラムでは、上記の報知処理を測定システムの処理部に実行させる。
【００５４】
したがって、請求項９記載の測定システム、および請求項２１記載の測定システム用プログラムによれば、一連の作業が完了した後に第１の画像および第２の画像を見比べることで電力量計が積算電力量を正確に計量しているか否かを判断することができるため、特に、電源ラインを介して大量の電力が供給されている状態、すなわち、計量用円板が高速で回転している状態、または計量パルス報知部が短い周期で点滅動作している状態であっても、電力量計が積算電力量を正確に計量しているか否かを正確かつ容易に判断することができる。
【００５５】
請求項１０記載の測定システムでは、処理部が、積算電力量が第１の値のＮ倍とは異なる第２の値に達したときに撮像部を制御して第３の撮像処理を実行させると共に、第３の撮像処理によって生成された第３の撮像データに基づく第３の画像を第１の画像および第２の画像と共に表示部に表示させる。また、請求項２２記載の測定システム用プログラムでは、上記の処理を測定システムの処理部に実行させる。
【００５６】
したがって、請求項１０記載の測定システム、および請求項２２記載の測定システム用プログラムによれば、計量用円板におけるマーク付与部が撮像されるべきタイミングで撮像された第１の画像および第２の画像にマーク付与部が撮像され、計量用円板におけるマーク付与部が撮像されるべきタイミングではないタイミングで撮像された第３の画像にマーク付与部が撮像されていないときに、誘導形電力量計についての測定作業が正常に行われていた旨を特定することができ、計量パルス報知部が点灯している状態で撮像されるべきタイミングで撮像された第１の画像および第２の画像に点灯状態の計量パルス報知部が撮像され、計量パルス報知部が点灯していない状態で撮像されるべきタイミングで撮像された第３の画像に非点灯状態の計量パルス報知部が撮像されているときに、電子式電力量計についての測定作業が正常に行われていた旨を特定することができる。
【００５７】
請求項１１記載の測定システムでは、処理部が、報知条件が満たされたときに、開始スイッチが操作された時点から報知条件が満たされた時点までの間の積算電力量と、第１の値のＮ倍の値との相違量を特定可能な第２の情報を第１の情報と共に表示部に表示させる。また、請求項２３記載の測定システム用プログラムでは、上記の処理を測定システムの処理部に実行させる。
【００５８】
したがって、請求項１１記載の測定システム、および請求項２３記載の測定システム用プログラムによれば、測定システムによって実測された積算電力量と、第１の値に基づいて算出された値（正常な電力量計において計量されるべき積算電力量）とが相違するときに、電力量計の計量値が、測定システムによって実測された積算電力量よりも多いか少ないかや、どの程度相違しているかを正しく把握することができる。
【００５９】
請求項１２記載の測定システムでは、処理部が、開始スイッチが操作されたときに開始条件が満たされたとして積算電力量の演算を開始する。また、請求項１２記載の測定システムにインストールされた測定システム用プログラムでは、上記の処理を処理部に実行させる。したがって、請求項１２記載の測定システム、およびその測定システム用プログラムによれば、計量用円板の回転状態や計量パルス報知部の点灯状態とは無関係に測定システムが積算電力量の演算を開始する構成・方法とは異なり、計量用円板におけるマーク付与部が電力量計の真正面に位置した時点、または、計量パルス報知部が点灯した時点を「開始条件が満たされたとき」として正確に指定することができるため、第１の情報が報知されたときに、計量用円板が１回転したか、または計量パルス報知部が１点滅動作したかを正確かつ容易に判断することができる。
【００６０】
請求項１３記載の測定システムでは、処理部が、ホールドスイッチが操作されたときに、報知条件が満たされたとして開始スイッチが操作された時点からホールドスイッチが操作された時点までの間の積算電力量と、第１の値のＮ倍の値との相違量を特定可能な第２の情報を第１の情報と共に報知部から報知させる。また、請求項１３記載の測定システムにインストールされた測定システム用プログラムでは、上記の処理を処理部に実行させる。したがって、請求項１３記載の測定システム、およびその測定システム用プログラムによれば、測定システムによって実測された積算電力量と、第１の値に基づいて算出された値（正常な電力量計において計量されるべき積算電力量）とが相違するときに、電力量計の計量値が、測定システムによって実測された積算電力量よりも多いか少ないかや、どの程度相違しているかを正しく把握することができる。
【図面の簡単な説明】
【００６１】
【図１】測定システム１００の構成を示す構成図である。
【図２】測定システム１００における電力計１の処理部１６が実行する報知処理３０のフローチャートである。
【図３】測定システム１００における携帯情報端末２の処理部２６が実行する報知処理４０のフローチャートである。
【図４】電力計１による測定処理中の測定結果表示５０の一例について説明するための説明図である。
【図５】電力計１による測定処理が完了したときの測定結果表示５０の一例について説明するための説明図である。
【図６】測定結果表示６０の表示状態の一例について説明するための説明図である。
【図７】測定結果表示６０の表示状態の他の一例について説明するための説明図である。
【図８】電力計１の処理部１６が実行する報知処理７０のフローチャートである。
【図９】電力計１による測定処理８０が完了したときの測定結果表示５０Ａの一例について説明するための説明図である。
【図１０】測定システム１００における電力計１の処理部１６が実行する測定処理８０のフローチャートである。
【図１１】測定システム１００における携帯情報端末２の処理部２６が実行するデータ生成処理９０のフローチャートである。
【発明を実施するための形態】
【００６２】
以下、本発明に係る測定システムおよび測定システム用プログラムの実施の形態について、添付図面を参照して説明する。
【００６３】
図１に示す測定システム１００は、「測定システム」の一例であって、電力計１、携帯情報端末２およびデータサーバ３を備え、導電路を介して負荷に供給されている電力量についての測定処理および測定結果の報知処理、その導電路に設置されている電力量計の計量値が正確であるか否かを特定可能な情報の報知処理、および「測定結果データ」を生成する処理などを実行することができるように構成されている。なお、以下の説明においては、一例として、導線Ｌａ，Ｌｂの単相二線式の電源ラインＬ（単相二線式の導電路）に電力量計Ｍが設置され、この電源ラインＬを介して負荷に電力が供給されているものとする。
【００６４】
一方、電力計１は、「第１の装置」および「装置Ａ」に相当して携帯情報端末２と相俟って「測定システム」を構成すると共に、単体でも「測定システム」を構成する。この電力計１は、電圧測定部１１Ｖ、電流測定部１１Ａ、通信部１２、操作部１３、表示部１４、スピーカ１５、処理部１６および記憶部１７を備え、電力量（瞬時電力量）や、その積算値（積算電力量）などの測定、および測定結果の報知を実行することができるように構成されている。
【００６５】
電圧測定部１１Ｖは、「電圧測定部」に相当し、一例として、測定ケーブルを介して電源ラインＬ（導線Ｌａ，Ｌｂ）に接続されて導線Ｌａ，Ｌｂ間に印加されている電圧値を測定し、測定結果を示す電圧値データＤｖを出力する。なお、電圧測定部１１Ｖのような「接触式電圧測定部」に代えて、電源ラインＬ（導線Ｌａ，Ｌｂ）に対して非接触（金属非接触）で電圧を測定する「非接触式電圧測定部」を備えて構成することもできる。電流測定部１１Ａは、「電流測定部」に相当し、導線Ｌａをクランプした状態のクランプセンサを用いて導線Ｌａを流れている電流の電流値を測定し、測定結果を示す電流値データＤａを出力する。
【００６６】
通信部１２は、一例として、ブルートゥース（Bluetooth ：登録商標）規格などの近距離無線通信規格に準ずる無線通信が可能な通信アダプタで構成されている。この通信部１２は、処理部１６の制御に従い、携帯情報端末２などの各種無線通信機器との間で各種のデータを送受信する。
【００６７】
操作部１３は、「操作部」の一例であって、動作条件（測定条件や、後述する報知条件等）の入力操作が可能な操作スイッチ、測定（積算電力量の演算）の開始／停止を指示する操作スイッチ（「開始スイッチ」および「終了スイッチ」の一例）、および測定値（積算電力量等）をホールドする操作スイッチ（「ホールドスイッチ」の一例）などを備え、スイッチ操作に応じた操作信号を処理部１６に出力する。
【００６８】
表示部１４は、スピーカ１５と相俟って「報知部」を構成し、処理部１６の制御に従って動作条件設定画面や測定結果表示画面等の各種の表示画面（図示せず）を表示する。スピーカ１５は、処理部１６の制御に従って各種の電子音を出力する。
【００６９】
処理部１６は、後述するように記憶部１７に記憶されている測定システム用プログラムＤｓ１に基づき、電力計１を総括的に制御する。具体的には、後述するように携帯情報端末２から送信された測定環境データＤｆが通信部１２によって受信されたときに、その測定環境データＤｆに基づいて電源ラインＬの種類や電力量計Ｍの「計器定数」を特定し、電源ラインＬの種類に応じて電圧測定部１１Ｖや電流測定部１１Ａを制御すると共に、特定した「計器定数」に基づいて「第１の値」や「基準積算電力量」を演算する処理を実行する。なお、測定環境データＤｆに基づいて電源ラインＬの種類や「第１の値」または「基準積算電力量」を特定する処理については、後に具体的な例を挙げて詳細に説明する。
【００７０】
また、処理部１６は、電圧測定部１１Ｖおよび電流測定部１１Ａを制御して測定処理を実行させると共に、電圧測定部１１Ｖから出力される電圧値データＤｖ、および電流測定部１１Ａから出力される電流値データＤａを記憶部１７に記憶させる。さらに、処理部１６は、「演算部」として機能し、上記の電圧値データＤｖおよび電流値データＤａに基づき、電源ラインＬを介して負荷に供給されている電力量（瞬時値）を演算して電力量データＤｗを生成し、生成した電力量データＤｗを記憶部１７に記憶させる。また、処理部１６は、電力量データＤｗに基づき、指定時間内の積算電力量を演算して積算電力量データＤｔを生成し、生成した積算電力量データＤｔを記憶部１７に記憶させる。
【００７１】
さらに、処理部１６は、上記の各演算処理と並行して、通信部１２から携帯情報端末２に積算電力量データＤｔを逐次送信させる。また、処理部１６は、電力量データＤｗや積算電力量データＤｔの値を表示部１４に表示させると共に、積算電力量データＤｔの値（積算電力量）が規定量に達したときに、その旨を報知する。なお、携帯情報端末２へのデータの送信、表示部１４による各種情報の表示、および積算電力量が規定量に達した際に報知する情報などについては、後に具体的な例を挙げて詳細に説明する。
【００７２】
記憶部１７は、処理部１６が実行する上記の各処理の手順が記録された測定システム用プログラムＤｓ１や、携帯情報端末２から送信される測定環境データＤｆ、並びに上記の電圧値データＤｖ、電流値データＤａ、電力量データＤｗおよび積算電力量データＤｔなどのデータを記憶する。
【００７３】
一方、携帯情報端末２は、「第２の装置」および「装置Ｂ」に相当し、前述したように、電力計１と相俟って「測定システム」を構成する。この携帯情報端末２は、一例として、測定システム用プログラムＤｓ２をインストールした既存のタブレット端末、スマートフォンおよびパーソナルコンピュータなどで構成されている。なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００７４】
この場合、本例では、図１に示すように、カメラ２１、通信部２２ａ，２２ｂ、操作部２３、表示部２４、スピーカ２５、処理部２６および記憶部２７を備えたスマートフォンで携帯情報端末２が構成されているものとする。なお、実際の携帯情報端末２は、上記の各構成要素２１〜２７の他に、「スマートフォン」としての機能を実現するための各種の構成要素を備えているが、本願発明についての理解を容易とするために、それらの構成要素についての図示および説明を省略する。
【００７５】
カメラ２１は、「撮像部」の一例であって、処理部２６の制御に従って撮像処理を実行して撮像データＤｐを出力する。通信部２２ａは、前述した電力計１の通信部１２と同様にしてブルートゥース等の近距離無線通信規格に準ずる無線通信が可能な通信アダプタで構成されている。この通信部２２ａは、後述するように、処理部２６の制御に従い、電力計１などの各種無線通信機器との間で各種のデータを送受信する。通信部２２ｂは、一例として、携帯電話通信網やインターネット通信網で構成されるネットワークＮに接続可能な通信アダプタで構成されて、ネットワークＮを介してデータサーバ３などに接続して各種のデータを送受信する。
【００７６】
操作部２３は、「操作部」の他の一例であって、表示部２４の前面側に配設されたタッチパネルや、携帯情報端末２を「スマートフォン」としての機能させるための各種の操作スイッチを備え、操作に応じた操作信号を処理部２６に出力する。表示部２４は、一例として液晶表示パネルを備え、スピーカ２５と相俟って「報知部」を構成すると共に、処理部２６の制御に従って各種の表示画面を表示する。スピーカ２５は、処理部２６の制御に従って各種の電子音や音声を出力する。
【００７７】
処理部２６は、携帯情報端末２を総括的に制御する。具体的には、処理部２６は、携帯情報端末２をスマートフォンとして機能させるための基本プログラムに従って各構成要素２１〜２５などを制御すると共に、後述するように記憶部２７に記憶させられている測定システム用プログラムＤｓ２に基づき、電力計１の処理部１６と相俟って「報知処理」や「測定結果データの生成処理」を実行する。なお、「報知処理」や「測定結果データの生成処理」については、後に具体的な例を挙げて詳細に説明するが、本例の測定システム１００では、上記の電力計１における処理部１６が単体で「処理部」として機能する使用形態と、電力計１の処理部１６と携帯情報端末２の処理部２６とが相俟って「処理部」として機能する使用形態とを任意に選択することが可能となっている。
【００７８】
また、処理部２６は、後述するように、測定システム用プログラムＤｓ２に従い、使用者によって入力された情報に基づいて測定環境データＤｆを生成し、生成した測定環境データＤｆを通信部２２ａから電力計１に送信させる。さらに、処理部２６は、前述したように電力計１から送信される積算電力量データＤｔ等に基づいて報告書データＤｒを生成し、生成した報告書データＤｒを記憶部２７に記憶させると共に、使用者からの指示に従って通信部２２ｂおよびネットワークＮを介してデータサーバ３に送信する。なお、測定環境データＤｆや報告書データＤｒの生成処理、およびデータサーバ３への報告書データＤｒの送信処理等については、後に詳細に説明する。
【００７９】
記憶部２７は、上記した基本プログラムや測定システム用プログラムＤｓ２を記憶すると共に、電力計１から送信される積算電力量データＤｔや、測定環境データＤｆ、撮像データＤｐおよび報告書データＤｒなどを記憶する。なお、測定システム用プログラムＤｓ２やその他の各種データについては、そのすべて、または一部を、携帯情報端末２の内部メモリで構成された記憶部２７に代えて、携帯情報端末２に装着された各種のリムーバブルメモリに記憶させることもできる。
【００８０】
この場合、本例の測定システム１００では、処理部１６が実行する上記の各処理の手順が記録された測定システム用プログラムＤｓ１が単体で「測定システム用プログラム」に相当すると共に、この測定システム用プログラムＤｓ１と携帯情報端末２にインストールされた測定システム用プログラムＤｓ２とが相俟って「測定システム用プログラム」に相当する。
【００８１】
データサーバ３は、一例として、電力計１や携帯情報端末２の使用者（所有者）が報告書データＤｒ等の蓄積を目的として運用しているサーバであって、ネットワークＮを介して携帯情報端末２などの各種端末が接続することができるように構築されている。
【００８２】
次に、測定システム１００の使用方法について、添付図面を参照して説明する。
【００８３】
この測定システム１００では、電力計１を単独で使用して各種の測定・報知処理を実行させる使用形態と、電力計１および携帯情報端末２を組み合わせて（両者を使用して）各種の測定・報知処理を実行させる使用形態とのいずれかを任意に選択して動作させることが可能となっている。したがって、まず、「第１の装置」としての電力計１および「第２の装置」としての携帯情報端末２を組み合わせて使用する形態について説明する。
【００８４】
なお、携帯情報端末２への測定システム用プログラムＤｓ２のインストール、および電力計１の通信部１２と携帯情報端末２の通信部２２ａとの間におけるブルートゥースのペアリングなどについては既に完了しているものとする。また、本例の測定システム１００では、データサーバ３がネットワークＮに常時接続されているものとする。
【００８５】
まず、電力計１を電源ラインＬに設置する。具体的には、図１に示すように、測定ケーブルを介して電源ラインＬ（導線Ｌａ，Ｌｂ）と電圧測定部１１Ｖとを接続すると共に、電流測定部１１Ａに接続されているクランプセンサによって導線Ｌａをクランプする。なお、電源ラインＬにおける電力量計Ｍの近傍において上記のように測定ケーブルの接続やクランプセンサによるクランプを行うことができないときには、通信部１２，２２ａの通信可能範囲内において電力量計Ｍからやや離れた位置に電力計１を設置してもよい。また、電力量計Ｍをバイパスする導電路が並設されている可能性があるときには、そのような導電路の上流側の電源ラインＬ、または、そのような導電路が本来の電源ラインＬに合流させられた部位に電力計１を設置すればよい。
【００８６】
次いで、電力量計Ｍを視認できる位置において携帯情報端末２の操作部２３を操作して測定システム用プログラムＤｓ２を起動させる。この際に、処理部２６は、まず、図４に示す測定結果表示５０を表示部２４に表示させる。この測定結果表示５０には、「測定日時」、「作業担当者名（または、担当者コード）」および「測定場所の名前」などを表示する測定環境情報表示５１の表示領域と、図示しないＧＰＳレシーバによって受信したＧＰＳ信号に基づいて特定される携帯情報端末２の現在地に対応する地図が表示される測定場所表示５２の表示領域と、後述する測定対象像５３ａ〜５３ｃ（図５参照）の表示領域と、後述する充足率表示５４ａ〜５４ｃ（図５参照）の表示領域と、後述する積算電力量表示５５ａ〜５５ｃ（図５参照）の表示領域とが設けられている。
【００８７】
なお、測定システム用プログラムＤｓ２の起動直後においては、図４に示す例とは異なり、測定対象像５３ａが表示されていない状態となっている。また、測定システム用プログラムＤｓ２の起動直後においては、一例として、同図に示すように、測定対象像５３ｂ，５３ｃの表示領域（図５参照）に測定結果表示６０が表示されると共に、充足率表示５４ａに「０％」との文字が表示され、かつ積算電力量表示５５ａに「０．００Ｗｈ」との文字が表示された状態となっている。
【００８８】
この場合、図６に示すように、測定結果表示６０は、後述するように電力計１によって演算される積算電力量を示す積算電力量表示６１の表示領域と、単位電力量表示６２ａ、充足率表示６２ｂおよび円グラフ表示６２ｃからなる確認用表示６２の表示領域とが設けられている。なお、本例では、測定結果表示５０内だけでなく、電力計１の表示部１４にも測定結果表示６０を表示させることが可能となっており、いずれの測定結果表示６０においても、常態（通常状態）における背景色（常態における表示部１４のバックライト色）が白色に規定されている。
【００８９】
続いて、測定結果表示５０を参照しつつ操作部２３を操作することにより、一例として、「測定日時」、「作業担当者名（または、担当者コード）」および「測定場所の名前」などを示す文字を入力する。これに応じて、処理部２６は、入力された各文字を測定結果表示５０の測定環境情報表示５１に表示させる。また、処理部２６は、図示しないＧＰＳレシーバによって受信したＧＰＳ信号に基づいて携帯情報端末２の現在位置を特定し、かつ特定した現在位置の地図データを通信部２２ｂおよびネットワークＮを介して図示しないサーバからダウンロードすると共に、地図データに基づく地図を測定場所表示５２に表示させる。
【００９０】
次いで、電力量計Ｍのメインパネルを参照しつつ操作部２３を操作することにより、電力量計Ｍの諸元情報を入力する。具体的には、電力量計Ｍが設置されている電源ラインＬの種類を特定させる情報（「単相二線」、「１００Ｖ」および「５０Ｈｚ」などの情報）と、電力量計Ｍの「計器定数」とを入力する。
【００９１】
この場合、設置されている電力量計Ｍが誘導形電力量計（機械式電力量計）のときには、例えば「○○○ｒｅｖ／□□ｋＷｈ」との「計器定数（□□ｋＷｈの積層電力量が計量される間に計量用円板が○○○回転することを示した定数）」がメインパネルに記されている。また、設置されている電力量計Ｍが電子式電力量計のときには、例えば「○○○ｐｕｌｓｅ／□□ｋＷｈ」との「計器定数（□□ｋＷｈの積層電力量が計量される間に計量パルス報知部（ＬＥＤ等）が○○○回点滅動作することを示した定数）」がメインパネルに記されている。したがって、電力量計Ｍのメインパネルを参照しつつ操作部２３を操作して測定対象の電力量計Ｍの「計器定数」を入力する。
【００９２】
この際に、処理部２６は、測定システム用プログラムＤｓ２に従い、入力された情報に基づいて測定環境データＤｆ（「計器定数データ」の一例）を生成し、生成した測定環境データＤｆを記憶部２７に記憶させると共に、通信部２２ａを制御して電力計１に送信させる。
【００９３】
一方、電力計１では、上記のように携帯情報端末２から送信された測定環境データＤｆが通信部１２によって受信されたときに（「導電路に設置されている電力量計の計器定数を特定可能な計器定数データを取得したとき」の一例）、処理部１６は、測定システム用プログラムＤｓ１に従い、受信された測定環境データＤｆを記憶部１７に記憶させ、かつ測定対象の電源ラインＬの種類を特定して測定処理の手順を決定すると共に、測定環境データＤｆに記録されている「計器定数」に基づいて「第１の値」を演算する処理を実行する。
【００９４】
この場合、前述したように、電力量計Ｍが誘導形電力量計のときには、「○○○ｒｅｖ／□□ｋＷｈ」との「計器定数」が測定環境データＤｆに記録され、電力量計Ｍが電子式電力量計のときには、「○○○ｐｕｌｓｅ／□□ｋＷｈ」との「計器定数」が測定環境データＤｆに記録されている。
【００９５】
したがって、処理部１６は、記録されている「計器定数」に基づき、電力量計Ｍが誘導形電力量計であると判別したときには、電力量計Ｍにおける計量用円板の１回転当りに負荷に供給される積算電力量（計量用円板が１回転する間に計量される積算電力量）を「第１の値」として演算する。また、処理部１６は、記録されている「計器定数」に基づき、電力量計Ｍが電子式電力量計であると判別したときには、電力量計Ｍにおける計量パルス報知部（ＬＥＤ等の発光体を備えた報知部）の１点滅動作当りに負荷に供給される積算電力量（計量パルス報知部が１点滅動作する間に計量される積算電力量）を「第１の値」として演算する。
【００９６】
なお、本例では、一例として、電力量計Ｍが誘導形電力量計であるものとして以下に説明する。また、処理部１６は、演算した「第１の値（計量用円板の１回転当りに負荷に供給される積算電力量）」を特定可能な情報を含ませて、電力計１による測定処理を開始することが可能となった旨を示す制御データＤ１２を通信部１２から携帯情報端末２に送信させる。
【００９７】
さらに、処理部１６は、電圧測定部１１Ｖおよび電流測定部１１Ａを制御して測定処理を実行させると共に、測定結果表示６０を表示部１４に表示させる。なお、この時点においては、測定結果表示６０における積算電力量表示６１に「０．００Ｗｈ」との文字が表示されると共に、確認用表示６２の単位電力量表示６２ａに上記の「第１の値」が表示され、充足率表示６２ｂに「０％」との文字が表示され、かつ円グラフ表示６２ｃが「０％」を示す表示状態となっている。
【００９８】
また、処理部１６は、電圧値データＤｖおよび電流値データＤａに基づく電力量の演算（電力量データＤｗの生成および記憶）を開始すると共に、図２に示す報知処理３０を開始して演算処理の開始を指示する制御データＤ２１が携帯情報端末２から送信されたか否かを監視する（ステップ３１）。
【００９９】
これに応じて、携帯情報端末２では、処理部２６が、電力計１から送信された制御データＤ１２に基づき、測定処理を開始する準備が整ったと判別して、制御データＤ１２に記録されている「第１の値」を測定結果表示５０における測定結果表示６０の単位電力量表示６２ａに表示させると共に、図３に示す報知処理４０を開始する。以上により、測定システム１００による測定作業を開始する準備が整う。
【０１００】
なお、本例の使用形態とは相違するが、電源ラインＬの種類の指定や「計器定数」を入力する上記の処理（測定環境データＤｆの生成処理）については、電力計１における操作部１３の操作によって実行させることもできる。また、指定された（測定環境データＤｆに記録された）「計器定数」に基づく「第１の値」の演算については、電力計１において実行する構成に代えて、携帯情報端末２において「第１の値」を演算し、演算結果を測定環境データＤｆに記録して電力計１に転送する構成を採用することもできる。
【０１０１】
一方、携帯情報端末２では、上記したように報知処理４０を開始した処理部２６が、演算処理の開始を指示するスイッチ操作が行なわれたか否かを監視する（ステップ４１）。この場合、本例の測定システム１００（携帯情報端末２）では、一例として、表示部２４に表示されている測定結果表示５０における測定結果表示６０の充足率表示６２ｂの表示部位（図４に示す例では、「０％」との文字が表示されている部位）に対するタッチ操作が行なわれたときに、携帯情報端末２から電力計１に対して演算処理の開始を指示する制御データＤ２１が送信される構成が採用されている（「積算電力量の演算の開始を指示する開始スイッチ」を「操作スイッチを模した表示（疑似操作スイッチ）」および「タッチパネル」で構成した例）。
【０１０２】
また、本例の測定システム１００では、報知処理４０が開始された状態の携帯情報端末２におけるカメラ２１を電力量計Ｍ（計量用円板および計量値表示部の部位）に向けることにより、カメラ２１から出力されている撮像データＤｐに基づく測定対象像５３ａが測定結果表示５０に表示されて逐次更新される（測定対象像５３ａとしてカメラ２１のライブ映像が表示される）。
【０１０３】
したがって、負荷に対する電力供給に伴って計量用円板が回転している電力量計Ｍの像を含む測定対象像５３ａを見ながら、一例として、計量用円板のマーク付与部（例えば、赤色の着色が施された部位）が電力量計Ｍの真正面に位置したときに、充足率表示６２ｂの表示部位に対するタッチ操作を行う（「開始スイッチが操作されたとき」の一例）。この際に、処理部２６は、「開始スイッチ」の操作が行なわれたと判別し（ステップ４１）、積算電力量の演算を開始する旨を示す制御データＤ２１を通信部２２ａから電力計１に送信させる（ステップ４２）。
【０１０４】
また、電力計１では、上記の制御データＤ２１が通信部１２によって受信されたときに、処理部１６が、演算処理の開始を指示する制御データＤ２１が携帯情報端末２から送信されたと判別し（「予め規定された開始条件が満たされたとき」の一例：ステップ３１）、電圧値データＤｖおよび電流値データＤａに基づいて演算している電力量（電力量データＤｗの値）に基づく積算電力量の演算（積算電力量データＤｔの生成および記憶部１７への記憶）を開始する。また、処理部１６は、積算電力量の演算を開始した旨を報知するブザー音をスピーカ１５から出力させると共に、演算した積算電力量に基づく測定結果表示６０の表示替え、および積算電力量データＤｔ（演算結果）の携帯情報端末２への送信を実行する（ステップ３２）。
【０１０５】
具体的には、処理部１６は、携帯情報端末２からの上記の制御データＤ２１を受信した時点から電力量データＤｗの値の積算処理を開始して積算電力量データＤｔを逐次更新すると共に、積算電力量データＤｔの値に応じて測定結果表示６０の積算電力量表示６１や確認用表示６２を表示替えする。この場合、処理部１６は、上記の「第１の値」に対する積算電力量データＤｔの割合を演算して確認用表示６２における充足率表示６２ｂの文字および円グラフ表示６２ｃのグラフを表示替えする。
【０１０６】
一方、携帯情報端末２では、処理部２６が、上記のような電力計１への制御データＤ２１の送信に続き、その時点においてカメラ２１から出力された撮像データＤｐ（「第１の撮像データ」の一例）を記憶部２７に記憶させると共に（「第１の撮像処理」の一例）、測定結果表示５０内における上記の測定対象像５３ａを、保存した撮像データＤｐの像（「第１の画像」の一例）に固定する（継続的に表示させる：ステップ４３）。これにより、図４に示すように、計量用円板におけるマーク付与部が電力量計Ｍの真正面に位置した状態の測定対象像５３ａが測定結果表示５０に表示された状態となる。
【０１０７】
また、処理部２６は、電力計１において積算電力量の演算が開始された旨を報知するブザー音をスピーカ２５から出力させると共に、電力計１から積算電力量データＤｔ（演算結果）が送信されたか否かを監視する（ステップ４４）。
【０１０８】
さらに、処理部２６は、電力計１から上記したように積算電力量データＤｔが送信されときに、その積算電力量データＤｔに応じて測定結果表示６０を表示替えする（ステップ４５）。なお、測定結果表示５０における測定結果表示６０の表示替えの態様については、電力計１における処理部１６が表示部１４に表示させている測定結果表示６０と同様のため、詳細な説明を省略する。さらに、処理部２６は、電力計１から制御データＤ１２が出力されたか否かを判別し（ステップ４６）、制御データＤ１２が出力されていないときに、電力計１から積算電力量データＤｔ（演算結果）が出力されたか否かを再び監視する（ステップ４４）。
【０１０９】
また、電力計１では、上記したように携帯情報端末２に対して積算電力量データＤｔを送信した後に（ステップ３２）、積算電力量データＤｔの値（演算結果）が、「第１の値」の中間値（「第１の値」の５０％：「第１の値のＮ倍とは異なる予め規定された第２の値」の一例）に達したか否かを判別する（ステップ３３）。この際に、演算した積算電力量が「第１の値」の中間値（５０％）に達していないときに、処理部１６は、上記のステップ３２の処理を再び実行する。また、ステップ３２，３３の処理を繰り返し実行することで演算した積算電力量が「第１の値」の中間値（５０％）に達したときに、処理部１６は、撮像処理の実行を指示する制御データＤ１２を通信部１２から携帯情報端末２に送信させる（ステップ３４）。
【０１１０】
また、携帯情報端末２では、電力計１から送信された上記の制御データＤ１２が通信部２２ａによって受信されたときに、処理部２６が、電力計１から制御データＤ１２が出力され（ステップ４６）、その制御データＤ１２が「撮像処理の実行を指示する制御データＤ１２」であると判別する（ステップ４７）。  この際に、処理部２６は、カメラ２１を制御して撮像処理（「第３の撮像処理」の一例）を実行させると共に、カメラ２１から出力される撮像データＤｐ（「第３の撮像データ」の一例）を記憶部２７に記憶させる（ステップ４８）。
【０１１１】
この場合、充足率表示６２ｂの表示部位を「開始スイッチ」として操作する時点から、カメラ２１を電力量計Ｍにおける計量用円板および計量値表示部の部位に向けた状態を維持することにより、上記のステップ４８の撮像処理によって計量用円板におけるマーク付与部とは異なる部位が撮像された撮像データＤｐが「第３の撮像データ」として記憶部２７に記憶されることとなる。この後、処理部２６は、上記のステップ４４に戻り、電力計１から積算電力量データＤｔが出力されたか否かを再び監視する。
【０１１２】
一方、電力計１では、上記のステップ３４において携帯情報端末２に制御データＤ１２を送信した後に、処理部１６が、上記のステップ３２の処理と同様にして、電圧値データＤｖおよび電流値データＤａに基づいて演算している電力量（電力量データＤｗの値）に基づく積算電力量の演算（積算電力量データＤｔの生成および記憶部１７への記憶）、演算した積算電力量に基づく測定結果表示６０の表示替え、および積算電力量データＤｔの携帯情報端末２への送信を実行する（ステップ３５）。これにより、電力計１の表示部１４に表示されている測定結果表示６０、および携帯情報端末２の表示部２４に表示されている測定結果表示５０の測定結果表示６０が、処理部１６によって演算された積算電力量に応じて逐次更新される。
【０１１３】
また、処理部１６は、積算電力量データＤｔの値（演算結果）が、「第１の値」（「第１の値」の１００％：「予め指定された第１の値のＮ倍」の一例であるＮ＝１倍の例）に達したか否かを判別する（ステップ３６）。この際に、演算した積算電力量が「第１の値」に達していないときに、処理部１６は、上記のステップ３５の処理を再び実行する。また、ステップ３５，３６の処理を繰り返し実行することで演算した積算電力量が「第１の値」に達したときに（「予め規定された報知条件が満たされたときに」の一例）、処理部１６は、積算電力量が「第１の値（第１の値のＮ＝１倍）」に達した旨を報知する（ステップ３７）。
【０１１４】
具体的には、処理部１６は、積算電力量が「第１の値」に達したことを報知するブザー音をスピーカ１５から出力する（「積算電力量についての予め規定された第１の情報」としての「積算電力量が第１の値のＮ倍に達したことを特定可能な情報」の一例）。また、処理部１６は、図７に示すように、測定結果表示６０における充足率表示６２ｂを「１００％」との文字に表示替えし、かつ円グラフ表示６２ｃを「１００％」に対応させて表示替えすると共に、測定結果表示６０の背景色（表示部１４のバックライト色）を常態における白色から赤色に変更する（「積算電力量についての予め規定された第１の情報」としての「積算電力量が第１の値のＮ倍に達したことを特定可能な情報」の他の一例）。
【０１１５】
なお、上記のブザー音は短音で構成されており、また、測定結果表示６０の背景色も、後述するようにステップ３５の処理が再び実行されることによって短時間で常態の白色に復帰される。したがって、電力計１の表示部１４を視認したりスピーカ１５からの音を認識できる距離に居る者は、上記のブザー音を聞いたり、測定結果表示６０の背景色が瞬間的に赤色に変更させるのを見たりすることで、電力計１によって演算された積算電力量が「第１の値」に達したことを正確かつ容易に認識することができる。
【０１１６】
また、処理部１６は、演算した積算電力量が「第１の値」のＮ＝１倍に達したことを報知する制御データＤ１２を通信部１２から携帯情報端末２に送信させた後に（ステップ３８）、上記のステップ３５に戻り、電圧値データＤｖおよび電流値データＤａに基づいて演算している電力量（電力量データＤｗの値）に基づく積算電力量の演算（積算電力量データＤｔの生成および記憶部１７への記憶）、演算した積算電力量に基づく測定結果表示６０の表示替え、および積算電力量データＤｔの携帯情報端末２への送信を実行する。
【０１１７】
この結果、表示部１４における確認用表示６２の充足率表示６２ｂが「０％」との文字に表示替えされ、かつ円グラフ表示６２ｃが「０％」に対応して表示替えされてその背景色（表示部１４のバックライト色）が赤色から白色に復帰させられた後に、処理部１６によって順次演算される積算電力量によって測定結果表示６０が再び更新される。また、本例の電力計１では、演算される積算電力量が「第１の値」のＮ倍（２倍、３倍・・）に達する都度、上記のステップ３７，３８の処理が実行されて、「第１の値」のＮ倍に達した旨が電力計１において報知される。これにより、電力計１の表示部１４を視認したりスピーカ１５からの音を認識できる距離に居る者は、上記のブザー音を聞いたり、測定結果表示６０の背景色が瞬間的に赤色に変更させるのを見たりすることで、電力計１によって演算された積算電力量が「第１の値」のＮ倍に達したことを繰り返し認識することができる。
【０１１８】
一方、携帯情報端末２では、電力計１において積算電力量が「第１の値」のＮ＝１倍に達したと判別されたステップ３６の直前に実行されたステップ３５によって送信された積算電力量データＤｔ（演算結果）を受信したとき（すなわち、電力計１によって演算された積算電力量が「第１の値」の１００％に達したとき）に（ステップ４４）、処理部２６が、積算電力量が「第１の値」に達したことを報知するブザー音をスピーカ２５から出力させる（「積算電力量についての予め規定された第１の情報」としての「積算電力量が第１の値のＮ倍に達したことを特定可能な情報」のさらに他の一例）。
【０１１９】
また、処理部２６は、その積算電力量データＤｔの値（演算結果）に基づき、測定結果表示５０における測定結果表示６０の充足率表示６２ｂを「１００％」との文字に表示替えし、かつ円グラフ表示６２ｃを「１００％」に対応させて表示替えすると共に（ステップ４５）、電力計１による上記のステップ３８によって送信された制御データＤ１２に従って、測定結果表示６０の背景色を常態における白色から赤色に変更する（「積算電力量についての予め規定された第１の情報」としての「積算電力量が第１の値のＮ倍に達したことを特定可能な情報」のさらに他の一例）。
【０１２０】
さらに、処理部２６は、電力計１からの制御データＤ１２が「積算電力量が第１の値に達したことを報知する制御データ」である（撮像処理の実行を指示する制御データではない）と判別し（「報知条件が満たされたとき」の一例：ステップ４７）、カメラ２１を制御して撮像処理を実行させ、カメラ２１から出力された撮像データＤｐ（「第２の撮像データ」の一例）を記憶部２７に記憶させる（第２の撮像処理の一例：ステップ４９）。
【０１２１】
また、処理部２６は、ステップ４９の処理として、図５に示すように、測定結果表示５０における上記の測定結果表示６０に代えて、上記のステップ４８において記憶部２７に記憶させた撮像データＤｐ（第３の撮像データ）に基づく測定対象像５３ｂ（「第３の画像」の一例）、およびステップ４９において記憶部２７に記憶させた撮像データＤｐ（第２の撮像データ）に基づく測定対象像５３ｃ（「第２の画像」の一例）を前述した測定対象像５３ａと並べて測定結果表示５０に表示させると共に、充足率表示５４ｂ，５４ｃに、「５０％」、「１００％」の文字をそれぞれ表示させ、かつ積算電力量表示５５ｂ，５５ｃに、対応する積算電力量データＤｔの値を示す文字をそれぞれ表示させて、この報知処理４０を終了する。
【０１２２】
この場合、上記のステップ４１において「開始スイッチの操作が行なわれた」と判別した時点、すなわち、電力量計Ｍの計量用円板におけるマーク付与部が電力量計Ｍの真正面に位置した時点（以下、「第１の時点」ともいう）から、上記のステップ４７において「電力計１によって演算された積算電力量が第１の値に達した旨を示す制御データＤ２１が送信された」と判別した時点（以下、「第２の時点」ともいう）まで電力量計Ｍによって積算電力量が正確に計量されていた場合には、電力量計Ｍの計量用円板が第１の時点から第２の時点までの間で正確に１回転する。
【０１２３】
したがって、電力量計Ｍによって積算電力量が正確に計量されていた場合には、第１の時点においてカメラ２１によって撮像された撮像データＤｐに基づく測定対象像５３ａ（第１の画像）、および第２の時点においてカメラ２１によって撮像された撮像データＤｐに基づく測定対象像５３ｃ（第２の画像）の双方において、計量用円板のマーク付与部が電力量計Ｍの真正面（中央部）に位置した状態となる。
【０１２４】
これに対して、上記の第１の時点から第２の時点までの間に電力量計Ｍによって計量される積算電力量が、電力計１によって測定される正しい積算電力量よりも少ない状態であったときには、第１の時点から第２の時点までの間で計量用円板の回転量が１回転に満たない状態となる。かかる状態では、第１の時点においてカメラ２１によって撮像された撮像データＤｐに基づく測定対象像５３ａ（第１の画像）において計量用円板のマーク付与部が真正面（中央部）に位置した状態となるものの、第２の時点においてカメラ２１によって撮像された撮像データＤｐに基づく測定対象像５３ｃ（第２の画像）では、計量用円板のマーク付与部が真正面（中央部）に位置していない状態（回転方向の上流側に位置した状態、または、測定対象像５３ｃ内に存在していない状態」）となる。
【０１２５】
また、上記の第１の時点から第２の時点までの間に電力量計Ｍによって計量される積算電力量が、電力計１によって測定される正しい積算電力量よりも多い状態であったときには、第１の時点から第２の時点までの間で計量用円板の回転量が１回転よりも多い状態となる。かかる状態では、第１の時点においてカメラ２１によって撮像された撮像データＤｐに基づく測定対象像５３ａ（第１の画像）において計量用円板のマーク付与部が真正面（中央部）に位置した状態となるものの、第２の時点においてカメラ２１によって撮像された撮像データＤｐに基づく測定対象像５３ｃ（第２の画像）では、計量用円板のマーク付与部が真正面（中央部）に位置していない状態（回転方向の下流側に位置した状態、または、測定対象像５３ｃ内に存在していない状態」）となる。
【０１２６】
したがって、電力計１によって測定された積算電力量が「第１の値」に達した時点において携帯情報端末２の表示部２４（測定結果表示５０）に測定対象像５３ａ，５３ｃが表示されることにより、両測定対象像５３ａ，５３ｃ内の計量用円板の像におけるマーク付与部の位置に基づいて、電力量計Ｍによる計量値が正確であるか否かを正確かつ容易に把握することができる。
【０１２７】
なお、本例の測定システム１００では、前述したように、電力計１によって測定された積算電力量が「第１の値の」中間値（５０％）に達した時点（以下、「第３の時点」ともいう）において電力計１からの制御データＤ１２に応じてカメラ２１によって撮像された撮像データＤｐに基づく測定対象像５３ｂ（第３の画像）が測定対象像５３ａ，５３ｃと並んで測定結果表示５０に表示されている。この場合、上記の第１の時点から第２の時点までの間で電力量計Ｍによって積算電力量が正確に計量されていたとしても、第３の時点においては、電力量計Ｍの計量用円板が第１の時点から１／２回転だけ回転させられた状態であったため、「第３の画像」としての測定対象像５３ｂでは、計量用円板のマーク付与部が撮像されない状態となる。
【０１２８】
したがって、測定結果表示５０内に表示されている測定対象像５３ａ〜５３ｃを参照して、計量用円板が正確に回転させられてマーク付与部が撮像されるべきタイミングで撮像された画像（測定対象像５３ａ，５３ｃ）には、マーク付与部が正確に撮像され、計量用円板が正確に回転させられてマーク付与部が撮像されるべきではないタイミングで撮像された画像（測定対象像５３ｂ）には、マーク付与部が正確に撮像されていない状態であることを確認することで、電力計１や携帯情報端末２が正確に動作していた（測定処理や報知処理が正確に実施されていた）ことを把握することができる。
【０１２９】
また、本例の測定システム１００では、携帯情報端末２の表示部２４（測定結果表示５０）に測定対象像５３ａ，５３ｃを並べて表示させることで、電力計１によって測定された積算電力量が「第１の値」の値のＮ＝１倍に達したことを報知するだけでなく、前述したように、電力計１の処理部１６によって実行された報知処理３０のステップ３７においてスピーカ１５からブザー音が出力され、かつ表示部１４に表示されている測定結果表示６０の背景色（表示部１４のバックライト色）が常態の白色から赤色に変更されることで「積算電力量が第１の値のＮ倍に達したこと」が報知されると共に、携帯情報端末２の処理部２６によって実行された報知処理４０のステップ４５（第１の値と等しい積算電力量データＤｔが電力計１から送信された時点において実行されるステップ４５）においてスピーカ２５からブザー音が出力され、かつ表示部２４（測定結果表示５０）に表示されている測定結果表示６０の背景色が常態の白色から赤色に変更されることで「積算電力量が第１の値のＮ倍に達したこと」が報知される。
【０１３０】
したがって、第１の時点から第２の時点までの間に電力量計Ｍによって積算電力量が正確に計量されていた場合には、ブザー音が出力され、かつ測定結果表示６０の背景色が赤色に変更された時点（第２の時点）において計量用円板のマーク付与部が電力量計Ｍの真正面に位置した状態となる。このため、ブザー音が出力され、かつ測定結果表示６０の背景色が赤色に変更された時点（第２の時点）において計量用円板のマーク付与部が電力量計Ｍの真正面に位置しているか否かに基づき、電力量計Ｍが積算電力量を正確に計量していたか否かを正確かつ容易に把握することができる。以上により、測定作業（電力量計Ｍの動作確認作業）が完了する。
【０１３１】
なお、電力量計Ｍが誘導形電力量計であったときの例について説明したが、電力量計Ｍが電子式電力量計のときには、上記の例における計量用円板のマーク付与部の位置による判断に代わり、電力量計Ｍの計量パルス報知部（ＬＥＤ等の発光部）の点灯状態によって電力量計Ｍが積算電力量を正確に計量していたか否かを判断すればよい。
【０１３２】
具体的には、「第１の値」としての「計量パルス報知部の１点滅動作当りに負荷に供給される積算電力量」の指定（演算）が完了している状態において、電力量計Ｍの計量パルス報知部が点灯したタイミングに合わせて「開始スイッチ」を操作する（本例では、測定結果表示６０における充足率表示６２ｂの表示部位に対するタッチ操作を行う）。この際には、上記の例のときと同様にして、電力計１による積算電力量の演算が開始されると共に、計量パルス報知部が点灯した状態の像がカメラ２１によって撮像されて表示部２４（測定結果表示５０）に測定対象像５３ａが表示される。
【０１３３】
また、電力計１によって演算される積算電力量が「第１の値」のＮ＝１倍に達したときには、電力計１および携帯情報端末２の双方においてその旨が報知される。この際に、電力量計Ｍによって積算電力量が正確に計量されていた場合には、計量パルス報知部が点灯した状態の像がカメラ２１によって撮像されて表示部２４（測定結果表示５０）に測定対象像５３ｃが表示される。したがって、電力量計Ｍが誘導形電力量計であったときの上記の例と同様にして、これらの情報に基づき、電力量計Ｍによって積算電力量が正確に計量されていたか否かを正確かつ容易に把握することができきる。
【０１３４】
一方、本例の測定システム１００では、上記の作業を完了したときに、携帯情報端末２によって作業報告書を作成することが可能となっている。具体的には、操作部２３に対する操作によって報告書の作成を開始するように指示されたときに、処理部２６は、測定システム用プログラムＤｓ２に従い、図５に示す状態の測定結果表示５０のデータを報告書データＤｒとして記憶部２７に記憶させる。なお、本例では、測定結果表示５０における各表示項目のレイアウト等を変更せずに報告書データＤｒを生成するものとするが、必要に応じて各表示項目のレイアウトや大きさを変更したり、任意の表示項目を変更したりして報告書データＤｒを生成してもよい。
【０１３５】
次いで、処理部２６は、生成した報告書データＤｒを通信部２２ｂおよびネットワークＮを介してデータサーバ３に送信する。これにより、データサーバ３に接続可能な図示しないパーソナルコンピュータを使用してデータサーバ３から報告書データＤｒをダウンロードし、測定結果表示５０を表示させたり、印刷装置から印刷したりすることにより、その測定結果表示５０における測定対象像５３ａ〜５３ｃ等に基づき、電力量計Ｍが積算電力量を正確に計量していたか否かを正確かつ容易に把握することができる。
【０１３６】
また、本例の測定システム１００では、前述したように、電力計１および携帯情報端末２を組み合わせて（両者を使用して）各種の測定・報知処理を実行させる使用形態だけでなく、電力計１を単独で使用して各種の測定・報知処理を実行させることもできる。なお、前述した使用形態における動作と同様の動作については、詳細な説明を省略する。
【０１３７】
まず、電力計１の操作部１３を操作して測定システム用プログラムＤｓ１を起動させる。次いで、電力量計Ｍのメインパネルを参照しつつ操作部１３を操作することにより、電力量計Ｍの諸元情報を入力する。この際に、処理部１６は、入力された諸元情報における「計器定数」に基づいて「第１の値」を演算する処理を実行する。続いて、前述した使用形態の例のときと同様にして、電力計１を電源ラインＬに設置する。これにより、電力計１による測定作業を開始する準備が整う。
【０１３８】
次いで、操作部１３を操作して図８に示す報知処理７０を開始させる。この報知処理７０では、処理部１６は、電圧測定部１１Ｖおよび電流測定部１１Ａを制御して測定処理を実行させると共に測定結果表示６０を表示部１４に表示させた後に、操作部１３の開始を指示する操作スイッチ（「開始スイッチ」の一例）が操作されたか否かを監視する（ステップ７１）。
【０１３９】
この際に、電力量計Ｍにおける計量用円板のマーク付与部が真正面に位置したとき（または、計量パルス報知部が点灯したとき）に開始スイッチを操作することにより、処理部１６は、開始を指示する操作スイッチが操作されたと判別し（「開始スイッチが操作されたとき」の一例）、電圧値データＤｖおよび電流値データＤａに基づく電力量の演算（電力量データＤｗの生成および記憶）、および電力量データＤｗの値に基づく積算電力量の演算（積算電力量データＤｔの生成および記憶）を開始すると共に、積算電力量データＤｔの値に応じて測定結果表示６０を表示替えする（ステップ７２）。
【０１４０】
続いて、処理部１６は、ホールドスイッチ（「開始スイッチ」の一例）が操作されたか否かの判別（ステップ７３）、演算した積算電力量が「第１の値」のＮ倍（本例では、Ｎ＝１，２・・倍）に達したか否かの判別（ステップ７４）、および停止を指示する操作スイッチ（停止スイッチ）が操作されたか否かの判別（ステップ７５）を順次実行し、上記のステップ７２に戻って電力量データＤｗや積算電力量データＤｔの生成および記憶、並びに積算電力量データＤｔの値に応じた測定結果表示６０の表示替えを実行する。
【０１４１】
また、ステップ７２，７３〜７５の各処理を繰り返し実行することで、ステップ７２において演算した積算電力量が「第１の値」のＮ＝１倍に達したときに（「予め規定された報知条件が満たされたときに」の一例：ステップ７４）、処理部１６は、積算電力量が「第１の値のＮ倍）」に達した旨を報知させる（ステップ７６）。
【０１４２】
この際には、前述した使用形態の例のときと同様にして、積算電力量が「第１の値」に達したことを報知するブザー音がスピーカ１５から出力される（「積算電力量についての予め規定された第１の情報」としての「積算電力量が第１の値のＮ倍に達したことを特定可能な情報」の一例）。また、測定結果表示６０における充足率表示６２ｂが「１００％」との文字に表示替えされ、かつ円グラフ表示６２ｃが「１００％」に対応させて表示替えされると共に、測定結果表示６０の背景色が常態における白色から赤色に変更される（「積算電力量についての予め規定された第１の情報」としての「積算電力量が第１の値のＮ倍に達したことを特定可能な情報」の他の一例）。
【０１４３】
この場合、電力量計Ｍが積算電力量を正確に計量しているときには、上記のブザー音の出力および測定結果表示６０の表示替えが行なわれた時点において、計量用円板のマーク付与部が電力量計Ｍの真正面に位置する（または、計量パルス報知部が点灯する）。したがって、上記のブザー音の出力や測定結果表示６０の表示替えと、計量用円板のマーク付与部が電力量計Ｍの真正面に位置する（または、計量パルス報知部が点灯する）タイミングとが同期していた場合には、電力量計Ｍが積算電力量を正確に計量していると判別できる。これに対して、上記のブザー音の出力や測定結果表示６０の表示替えと、計量用円板のマーク付与部が電力量計Ｍの真正面に位置する（または、計量パルス報知部が点灯する）タイミングとが同期していない場合には、電力量計Ｍが積算電力量を正確に計量していないと判別できる。
【０１４４】
一方、処理部１６は、ステップ７６の報知処理に続き、停止スイッチが操作されていないと判別したときには（ステップ７５）、上記のステップ７２，７３〜７５の各処理を再び繰り返し実行する。これにより、ステップ２７において演算した積算電力量が「第１の値」のＮ倍（Ｎは、各自然数）に達したときに（ステップ７４）、積算電力量が「第１の値」のＮ＝１倍に達したときと同様にして、その旨が報知される（ステップ７６）。したがって、使用者は、ブザー音の出力や測定結果表示６０の表示替えと、計量用円板のマーク付与部が電力量計Ｍの真正面に位置する（または、計量パルス報知部が点灯する）タイミングとが同期しているか否かを繰り返し確認することができる。
【０１４５】
この際に、上記のタイミングのずれが僅かなずれであったとしても、両タイミングのずれを繰り返し確認しているうちに、そのずれ量が徐々に大きくなる。したがって、両タイミングのずれ量がある程度大きくなり、タイミングが不一致であることを確信したときには、計量用円板のマーク付与部が電力量計Ｍの真正面に位置する（または、計量パルス報知部が点灯する）タイミングに合わせて操作部１３のホールドスイッチを操作する。なお、このホールドスイッチの操作については、両タイミングの一致／不一致を複数回に亘って確認した後に限定されず、開始スイッチの操作後の任意の時点において実施することができる。
【０１４６】
このホールドスイッチが操作されたときに（ステップ７３）、処理部１６は、「報知条件」が満たされたと判別し、まず、その時点において演算した積算電力量（積算電力量データＤｔ：「開始スイッチが操作された時点からホールドスイッチが操作された時点までの間の積算電力量」の一例）をホールドする（ステップ７７）。次いで、処理部１６は、ホールドした積算電力量と、「第１の値」に基づく積算電力量（電力量計Ｍにおいて計量されているべき積算電力量：「第１の値のＮ倍の値」の一例）との「差」を演算すると共に、演算した「差」の「第１の値に基づく積算電力量」に対する割合（「第１の値」を１００％としたときの「差」の割合）を演算する（ステップ７８）。
【０１４７】
具体的には、一例として、計量用円板の３回転（または、計量パルス報知部の３回の点滅動作）に亘って測定処理を行った時点においてホールドスイッチが操作されたときには、ステップ７７において、この３回転（または、３回の点滅動作）の間に電力量データＤｗの値が積算された積算電力量データＤｔがホールドされる。この際に、処理部１６は、「計器定数」に基づいて算出した「第１の値」を３倍した値を「電力量計Ｍにおいて計量されるべき値」として算出すると共に、算出した値と、積算電力量データＤｔの値との差、および算出した値に対する「差」の割合とを演算する。
【０１４８】
次いで、処理部１６は、上記のステップ７８の算出結果（「相違量を特定可能な第２の情報」の一例）を表示部１４に数値で表示させる（算出結果の報知：ステップ７９）。これにより、電力量計Ｍが正確に計量を行っていた場合（上記の両タイミングのずれが勘違いであったとき）には、例えば「０．０Ｗｈ  ０．０％」との数値が表示部１４に表示される。これに対して、電力量計Ｍの計量値が実際の積算電力量よりも少なかった場合には、一例として、「−○○．○Ｗｈ  −○．○％」との数値が表示部１４に表示され、電力量計Ｍの計量値が実際の積算電力量よりも多かった場合には、一例として、「＋○○．○Ｗｈ  ＋○．○％」との数値が表示部１４に表示される。
【０１４９】
したがって、ステップ７９において表示部１４に表示される算出結果を参照することにより、電力量計Ｍが正確に計量しているか否か、および不正確である場合には、どの程度の計量ずれが生じているかを正確かつ容易に把握することができる。この後、処理部１６は、操作部１３の停止スイッチが操作されたときに（ステップ７５）この報知処理７０を終了する。これにより、電力計１を単独で使用した測定作業が完了する。
【０１５０】
なお、上記の報知処理７０におけるステップ７３，７７〜７９の各処理については、電力計１および携帯情報端末２を組み合わせて使用する前述した使用形態において、電力計１および携帯情報端末２のいずれか、または双方において同様の処理を実行させる構成を採用することもできる。このような構成を採用することで、上記の報知処理７０の実行時と同様にして、電力量計Ｍが正確に計量しているか否か、および不正確である場合には、どの程度の計量ずれが生じているかを正確かつ容易に把握することができる。
【０１５１】
このように、この電力計１では、処理部１６が、報知処理７０において、「開始条件」が満たされたときに（ステップ７１）積算電力量の演算を開始すると共に（ステップ７２）、積算電力量が予め指定された「第１の値」のＮ倍に達したときに（ステップ７４）「報知条件」が満たされたとして積算電力量が「第１の値」のＮ倍に達したことを特定可能な情報を「第１の情報」として報知部から報知させる（ステップ７６）。また、この測定システム１００では、電力計１の処理部１６が、報知処理３０において、「開始条件」が満たされたときに（ステップ３１）積算電力量の演算を開始すると共に（ステップ３２）、積算電力量が予め指定された「第１の値」のＮ倍に達したときに（ステップ３６）「報知条件」が満たされたとして積算電力量が「第１の値」のＮ倍に達したことを特定可能な情報を「第１の情報」として報知部から報知させ（ステップ３７）、携帯情報端末２の処理部２６が、報知処理４０において、積算電力量が予め指定された「第１の値」のＮ倍に達したとき（本例では、「第１の値」のＮ倍の積算電力量データＤｔが電力計１から送信されたとき）に「報知条件」が満たされたとして積算電力量が「第１の値」のＮ倍に達したことを特定可能な情報を「第１の情報」として報知部から報知させる（ステップ４５）。さらに、この測定システム用プログラムＤｓ１は、上記の報知処理７０，３０を電力計１の処理部１６に実行させ、測定システム用プログラムＤｓ２は、上記の報知処理４０を携帯情報端末２の処理部２６に実行させる。
【０１５２】
したがって、この電力計１、測定システム１００、および測定システム用プログラムＤｓ１，Ｄｓ２によれば、積算電力量の演算を開始させる指示を行った後に、電力量計Ｍの計量用円板、または計量パルス報知部を観察し、ブザー音の出力や測定結果表示６０の背景色の変更が行なわれたときに、計量用円板の回転量や計量パルス報知部の点灯状態と比較するだけで、電力量計Ｍが積算電力量を正確に計量しているか否かを正確かつ容易に判断することができる。
【０１５３】
また、この電力計１は、処理部１６が、報知処理７０に先立ち、電力量計Ｍの「計器定数」を特定可能な計器定数データを取得したとき（本例では、「計器定数」等が操作部１３の操作によって入力されたとき）に、計器定数データによって特定される「計器定数」に基づき、電力量計Ｍが誘導形電力量計のときには、計量用円板の１回転当りに負荷に供給される積算電力量を「第１の値」として演算すると共に、電力量計Ｍが電子式電力量計のときには、計量パルス報知部の１点滅動作当りに負荷に供給される積算電力量を「第１の値」として演算する。さらに、この測定システム１００では、処理部１６が、報知処理３０に先立ち、電力量計Ｍの「計器定数」を特定可能な測定環境データＤｆを取得したときに、測定環境データＤｆによって特定される「計器定数」に基づき、電力量計Ｍが誘導形電力量計のときには、計量用円板の１回転当りに負荷に供給される積算電力量を「第１の値」として演算すると共に、電力量計Ｍが電子式電力量計のときには、計量パルス報知部の１点滅動作当りに負荷に供給される積算電力量を「第１の値」として演算する。また、この測定システム用プログラムＤｓ１，Ｄｓ２では、「第１の値」を演算する上記の処理を電力計１の処理部１６に実行させる。
【０１５４】
したがって、この電力計１、測定システム１００、および測定システム用プログラムＤｓ１，Ｄｓ２によれば、「計器定数」が異なる各種の「電力量計」を対象として、「第１の値」を事前に算出する作業を行うことなく、「電力量計」に記されている「計器定数」を指定する（本例では、操作部１３，２３を操作して入力する）だけで、正しい「第１の値」を指定することができるため、この種の装置・システムを使用した測定作業に不慣れな者であっても、電力量計Ｍが積算電力量を正確に計量しているか否かを一層正確かつ一層容易に判断することができる。
【０１５５】
さらに、この測定システム１００では、電圧測定部１１Ｖおよび電流測定部１１Ａを少なくとも有する電力計１と、積算電力量の演算の開始を指示する開始スイッチを有する操作部２３、カメラ２１、および表示部２４を有して電力計１とは別体に構成された携帯情報端末２とを備え、携帯情報端末２の処理部２６が、開始スイッチが操作されたときに（ステップ４１）、「開始条件」が満たされたとして積算電力量の演算を開始させ（ステップ４２）、これに応じて電力計１の処理部１６が積算電力量の演算を開始し（ステップ３２）、処理部２６がカメラ２１を制御して「第１の撮像処理」を実行させると共に（ステップ４３）、電力計１の処理部１６が、積算電力量が「第１の値」のＮ倍に達したときに（ステップ３６）「報知条件」が満たされたとして制御データＤ１２を送信させ（ステップ３８）、これに応じて携帯情報端末２の処理部２６がカメラ２１を制御して第２の撮像処理を実行させ（ステップ４９）、かつ「第１の撮像処理」によって生成された撮像データＤｐに基づく測定対象像５３ａ、および第２の撮像処理によって生成された撮像データＤｐに基づく測定対象像５３ｃを「第１の情報」として表示部２４（測定結果表示５０）に表示させる。また、この測定システム用プログラムＤｓ１，Ｄｓ２では、上記の報知処理３０，４０を処理部１６，２６に実行させる。
【０１５６】
したがって、この測定システム１００、および測定システム用プログラムＤｓ１，Ｄｓ２によれば、一連の作業が完了した後に測定対象像５３ａ，５３ｃを見比べることで電力量計Ｍが積算電力量を正確に計量しているか否かを判断することができるため、特に、電源ラインＬを介して大量の電力が供給されている状態、すなわち、計量用円板が高速で回転している状態、または計量パルス報知部が短い周期で点滅動作している状態であっても、電力量計Ｍが積算電力量を正確に計量しているか否かを正確かつ容易に判断することができる。
【０１５７】
また、この測定システム１００では、電力計１の処理部１６が、積算電力量が「第１の値」のＮ倍とは異なる第２の値に達したときに（ステップ３３）制御データＤ１２を送信させ（ステップ３４）これに応じて、携帯情報端末２の処理部２６がカメラ２１を制御して「第３の撮像処理」を実行させると共に（ステップ４８）、「第３の撮像処理」によって生成された撮像データＤｐに基づく測定対象像５３ｂを測定対象像５３ａ，５３ｃと共に表示部２４（測定結果表示５０）に表示させる。さらに、この測定システム用プログラムＤｓ１，Ｄｓ２では、上記の処理を処理部１６，２６に実行させる。
【０１５８】
したがって、この測定システム１００、および測定システム用プログラムＤｓ１，Ｄｓ２によれば、計量用円板におけるマーク付与部が撮像されるべきタイミングで撮像された測定対象像５３ａ，５３ｃにマーク付与部が撮像され、計量用円板におけるマーク付与部が撮像されるべきタイミングではないタイミングで撮像された測定対象像５３ｂにマーク付与部が撮像されていないときに、誘導形電力量計についての測定作業が正常に行われていた旨を特定することができ、計量パルス報知部が点灯している状態で撮像されるべきタイミングで撮像された測定対象像５３ａ，５３ｃに点灯状態の計量パルス報知部が撮像され、計量パルス報知部が点灯していない状態で撮像されるべきタイミングで撮像された測定対象像５３ｂに非点灯状態の計量パルス報知部が撮像されているときに、電子式電力量計についての測定作業が正常に行われていた旨を特定することができる。
【０１５９】
さらに、この測定システム１００では、処理部１６，２６が、「報知条件」が満たされたときに、開始スイッチが操作された時点から「報知条件」が満たされた時点までの間の積算電力量と、「第１の値」のＮ倍の値との相違量を特定可能な「第２の情報」を「第１の情報」と共に表示部１４，２４に表示させる。また、そのような使用形態の例における「測定システム用プログラム」では、上記の処理を処理部１６，２６に実行させる。
【０１６０】
したがって、そのような測定システム１００、およびその「測定システム用プログラム」によれば、電力計１によって実測された積算電力量と、「第１の値」に基づいて算出された値（正常な電力量計Ｍにおいて計量されるべき積算電力量）とが相違するときに、電力量計Ｍの計量値が、測定システム１００によって実測された積算電力量よりも多いか少ないかや、どの程度相違しているかを正しく把握することができる。
【０１６１】
また、この電力計１では、処理部１６が、報知処理７０において、開始スイッチが操作されたときに（ステップ７１）、「開始条件」が満たされたとして積算電力量の演算を開始する（ステップ７２）。また、この電力計１にインストールされた測定システム用プログラムＤｓ１では、上記の処理を処理部１６に実行させる。したがって、この電力計１、および測定システム用プログラムＤｓ１によれば、計量用円板の回転状態や計量パルス報知部の点灯状態とは無関係に電力計１が積算電力量の演算を開始する構成・方法とは異なり、計量用円板におけるマーク付与部が電力量計Ｍの真正面に位置した時点、または、計量パルス報知部が点灯した時点を「開始条件が満たされたとき」として正確に指定することができるため、「第１の情報」が報知されたときに、計量用円板が１回転したか、または計量パルス報知部が１点滅動作したかを正確かつ容易に判断することができる。
【０１６２】
さらに、この電力計１では、処理部１６が、ホールドスイッチが操作されたときに（ステップ７３）、「報知条件」が満たされたとして開始スイッチが操作された時点からホールドスイッチが操作された時点までの間の積算電力量と、「第１の値」のＮ倍の値との相違量を特定可能な「第２の情報」を「第１の情報」と共に表示部１４に表示させる（ステップ７８，７９）。また、この電力計１にインストールされた測定システム用プログラムＤｓ１では、上記の報知処理７０を処理部１６に実行させる。したがって、この電力計１、および測定システム用プログラムＤｓ１によれば、電力計１によって実測された積算電力量と、「第１の値」に基づいて算出された値（正常な電力量計Ｍにおいて計量されるべき積算電力量）とが相違するときに、電力量計Ｍの計量値が、電力計１によって実測された積算電力量よりも多いか少ないかや、どの程度相違しているかを正しく把握することができる。
【０１６３】
次に、測定システム１００の他の使用方法について説明する。
【０１６４】
本例の測定システム１００は、電力計１の処理部１６による報知処理３０の実行および携帯情報端末２の処理部２６による報知処理４０の実行によって測定結果についての情報が提供される前述の使用方法や、電力計１の処理部１６による報知処理７０の実行によって測定結果についての情報が提供される前述の使用方法だけではなく、電力計１の処理部１６による測定処理８０の実行（図１０参照）および携帯情報端末２の処理部２６によるデータ生成処理９０の実行（図１１参照）によって測定結果についての情報が提供される使用方法で使用することができる。
【０１６５】
なお、以下に説明する使用方法においては、電力計１が「装置Ａ」に相当し、かつ携帯情報端末２が「装置Ｂ」に相当する。また、以下の説明のように測定システム１００（電力計１や携帯情報端末２）を動作させるときには、測定システム用プログラムＤｓ１と、携帯情報端末２にインストールされた測定システム用プログラムＤｓ２とが相俟って「測定システム用プログラム」に相当する。
【０１６６】
この使用方法での作業に際しては、まず、電力計１を電源ラインＬに設置する。なお、携帯情報端末２への測定システム用プログラムＤｓ２のインストール、および電力計１の通信部１２と携帯情報端末２の通信部２２ａとの間におけるブルートゥースのペアリングなどについては既に完了しているものとする。
【０１６７】
次いで、電力量計Ｍを視認できる位置において、携帯情報端末２の操作部２３を操作して測定システム用プログラムＤｓ２を起動させる。この際に、処理部２６は、まず、図９に示す測定結果表示５０Ａを表示部２４に表示させる。この測定結果表示５０Ａは、前述した測定結果表示５０における測定対象像５３ｂ、充足率表示５４ｂおよび積算電力量表示５５ｂの表示領域が存在せず、かつ基準積算電力量表示５６ａおよび相違量表示５６ｂが加えられている点を除き、測定結果表示５０とほぼ同様の表示要素で構成されている。なお、測定システム用プログラムＤｓ２の起動直後においては、図９に示す例とは異なり、測定対象像５３ａ，５３ｃや、充足率表示５４ｃ、積算電力量表示５５ｃ、基準積算電力量表示５６ａおよび相違量表示５６ｂが表示されていない状態となっている。
【０１６８】
続いて、測定結果表示５０Ａを参照しつつ操作部２３を操作することにより、一例として、「測定日時」、「作業担当者名（または、担当者コード）」および「測定場所の名前」などを示す文字を入力する。これに応じて、処理部２６は、入力された各文字を測定結果表示５０Ａの測定環境情報表示５１に表示させる。また、処理部２６は、図示しないＧＰＳレシーバによって受信したＧＰＳ信号に基づいて携帯情報端末２の現在位置を特定し、かつ特定した現在位置の地図データを通信部２２ｂおよびネットワークＮを介して図示しないサーバからダウンロードすると共に、地図データに基づく地図を測定場所表示５２に表示させる。
【０１６９】
次いで、電力量計Ｍのメインパネルを参照しつつ操作部２３を操作することにより、電力量計Ｍの諸元情報を入力する。具体的には、電力量計Ｍが設置されている電源ラインＬの種類を特定させる情報（「単相二線」、「１００Ｖ」および「５０Ｈｚ」などの情報）と、電力量計Ｍの「計器定数」とを入力する。なお、これらの情報の入力作業については、前述した使用方法での使用時における作業と同様のため、詳細な説明を省略する。
【０１７０】
この際に、処理部２６は、測定システム用プログラムＤｓ２に従い、入力された情報に基づいて測定環境データＤｆを生成し、生成した測定環境データＤｆを記憶部２７に記憶させる。また、処理部２６は、測定環境データＤｆの生成を完了したときに（「導電路に設置されている電力量計の計器定数を特定可能な計器定数データを取得したとき」の一例）、測定システム用プログラムＤｓ２に従い、測定環境データＤｆに記録されている「計器定数」に基づいて「基準積算電力量」を演算する処理を実行する。
【０１７１】
この場合、前述したように、電力量計Ｍが誘導形電力量計のときには、「○○○ｒｅｖ／□□ｋＷｈ」との「計器定数」が測定環境データＤｆに記録され、電力量計Ｍが電子式電力量計のときには、「○○○ｐｕｌｓｅ／□□ｋＷｈ」との「計器定数」が測定環境データＤｆに記録されている。
【０１７２】
したがって、処理部２６は、記録されている「計器定数」に基づき、電力量計Ｍが誘導形電力量計であると判別したときには、電力量計Ｍにおける計量用円板の１回転当りに負荷に供給される積算電力量（計量用円板が１回転する間に計量される積算電力量：後述するように「開始スイッチが操作されたとき」から「終了スイッチが操作されたとき」までの間に演算されるべき積算電力量）を「基準積算電力量」として演算する。また、処理部２６は、記録されている「計器定数」に基づき、電力量計Ｍが電子式電力量計であると判別したときには、電力量計Ｍにおける計量パルス報知部（ＬＥＤ等の発光体を備えた報知部）の１点滅動作当りに負荷に供給される積算電力量（計量パルス報知部が１点滅動作する間に計量される積算電力量：後述するように「開始スイッチが操作されたとき」から「終了スイッチが操作されたとき」までの間に演算されるべき積算電力量）を「基準積算電力量」として演算する。
【０１７３】
なお、本例の使用形態とは相違するが、電源ラインＬの種類の指定や「計器定数」を入力する上記の処理（測定環境データＤｆの生成処理）については、電力計１における操作部１３の操作によって実行させることもできる。また、指定された「計器定数」に基づく「基準積算電力量」の演算についても、携帯情報端末２において実行する構成に代えて、電力計１において「基準積算電力量」を演算し、演算結果を携帯情報端末２に転送する構成を採用することもできる。次いで、処理部２６は、演算した「基準積算電力量」の値を基準積算電力量表示５６ａとして測定結果表示５０Ａに表示させる。以下、本例では、一例として、電力量計Ｍが誘導形電力量計であるものとして説明する。
【０１７４】
次いで、電力計１の操作部１３を操作することにより、図１０に示す測定処理８０を開始させる。この測定処理８０では、処理部１６は、まず、電圧測定部１１Ｖから出力される電圧値データＤｖ、および電流測定部１１Ａから出力される電流値データＤａに基づく電力量の演算（電力量データＤｗの生成および記憶）を開始すると共に、積算電力量の演算処理の開始を指示する制御データＤ２１が携帯情報端末２から送信されたか否かを監視する（ステップ８１）。
【０１７５】
続いて、携帯情報端末２の操作部２３を操作することにより、図１１に示すデータ生成処理９０を開始させる。このデータ生成処理９０では、処理部２６は、まず、開始スイッチの操作の有無を監視すると共に（ステップ９１）、カメラ２１から出力される撮像データＤｐに基づく測定対象像５３ａを測定結果表示５０Ａに表示させる。
【０１７６】
この場合、本例の測定システム１００では、データ生成処理９０が開始された状態の携帯情報端末２におけるカメラ２１を電力量計Ｍ（計量用円板および計量値表示部の部位）に向けることにより、カメラ２１から出力されている撮像データＤｐに基づく測定対象像５３ａが測定結果表示５０Ａに表示されて逐次更新される（測定対象像５３ａとしてカメラ２１のライブ映像が表示される）構成が採用されている。また、この使用方法での動作時には、一例として、表示部２４に表示されている測定結果表示５０Ａにおける測定対象像５３ａの表示部位に対するタッチ操作が行なわれたときに、携帯情報端末２から電力計１に対して演算処理の開始を指示する制御データＤ２１が送信されると共に、カメラ２１によって「第１の撮像処理」が実行される構成が採用されている（「積算電力量の演算の開始を指示する開始スイッチ」を「疑似操作スイッチ」および「タッチパネル」で構成した例）。
【０１７７】
したがって、負荷に対する電力供給に伴って計量用円板が回転している電力量計Ｍの像を含む測定対象像５３ａを見ながら、一例として、計量用円板のマーク付与部（例えば、赤色の着色が施された部位）が電力量計Ｍの真正面に位置したときに、測定対象像５３ａの表示部位に対するタッチ操作を行う（「開始スイッチが操作されたとき」の一例）。この際に、処理部２６は、「開始スイッチ」の操作が行なわれたと判別し（ステップ９１）、積算電力量の演算を開始する旨を示す制御データＤ２１を通信部２２ａから電力計１に送信させる（ステップ９２）。
【０１７８】
一方、電力計１では、上記の制御データＤ２１が通信部１２によって受信されたときに、処理部１６が、積算電力量の演算処理の開始を指示する制御データＤ２１が携帯情報端末２から送信されたと判別する（ステップ８１）。この際に、処理部１６は、電圧値データＤｖおよび電流値データＤａに基づいて演算している電力量（電力量データＤｗの値）に基づく積算電力量の演算（積算電力量データＤｔの生成および記憶部１７への記憶）を開始すると共に（ステップ８２）、積算電力量の演算を開始した旨を報知するブザー音をスピーカ１５から出力させる。
【０１７９】
次いで、処理部１６は、積算電力量の演算処理の終了を指示する制御データＤ２１が携帯情報端末２から送信されたか否かを判別すると共に（ステップ８３）、そのような制御データＤ２１が携帯情報端末２から送信されていないときには、電力量データＤｗの値を積算電力量に加算して積算電力量データＤｔを更新する（ステップ８２）。この後、処理部１６は、演算処理の終了を指示する制御データＤ２１が携帯情報端末２から送信されるまで、ステップ８２，８３の処理を繰り返し実行する。
【０１８０】
一方、携帯情報端末２では、処理部２６が、上記のような電力計１への制御データＤ２１の送信に続き、その時点における最新の撮像データＤｐ（すなわち、タッチ操作が行なわれた際の測定対象像５３ａのデータ：「第１の撮像データ」の一例）を記憶部２７に記憶させると共に（「第１の撮像処理」の一例：ステップ９３）、電力計１において積算電力量の演算が開始された旨を報知するブザー音をスピーカ２５から出力させる。また、処理部２６は、測定結果表示５０Ａ内における上記の測定対象像５３ａを、保存した撮像データＤｐの像（「第１の撮像データ」の像）に固定する（継続的に表示させる）。これにより、計量用円板におけるマーク付与部が電力量計Ｍの真正面に位置した状態の測定対象像５３ａが測定結果表示５０Ａに表示された状態が維持される。
【０１８１】
次いで、処理部２６は、終了スイッチの操作の有無を監視すると共に（ステップ９４）、カメラ２１から出力されている撮像データＤｐに基づく測定対象像５３ｃを測定結果表示５０Ａに表示させて逐次更新する（測定対象像５３ｃとしてカメラ２１のライブ映像を表示させる）。この場合、この使用方法での動作時には、一例として、表示部２４に表示されている測定結果表示５０Ａにおける測定対象像５３ｃの表示部位に対するタッチ操作が行なわれたときに、携帯情報端末２から電力計１に対して演算処理の終了を指示する制御データＤ２１が送信されると共に、カメラ２１によって第２の撮像処理が実行される構成が採用されている（「積算電力量の演算の開始を指示する終了スイッチ」を「疑似操作スイッチ」および「タッチパネル」で構成した例）。
【０１８２】
したがって、負荷に対する電力供給が継続していることで計量用円板が回転している電力量計Ｍの像を含む測定対象像５３ｃを見ながら、計量用円板のマーク付与部（例えば、赤色の着色が施された部位）が電力量計Ｍの真正面に位置したときに、測定対象像５３ｃの表示部位に対するタッチ操作を行う（「終了スイッチが操作されたとき」の一例）。この際に、処理部２６は、「終了スイッチ」の操作が行なわれたと判別し（ステップ９４）、積算電力量の演算を終了させる旨を示す制御データＤ２１を通信部２２ａから電力計１に送信させる（ステップ９５）。
【０１８３】
一方、電力計１では、処理部１６が、上記の制御データＤ２１が通信部１２によって受信されたときに、処理部１６が、積算電力量の演算処理の終了を指示する制御データＤ２１が携帯情報端末２から送信されたと判別する（ステップ８３）。この際に、処理部１６は、電力量（電力量データＤｗの値）に基づく積算電力量の演算（積算電力量データＤｔの更新）を終了すると共に、積算電力量の演算を終了した旨を報知するブザー音をスピーカ１５から出力させ、かつ、最新の積算電力量データＤｔを通信部１２から携帯情報端末２に送信させる（ステップ８４）。この後、処理部１６は、携帯情報端末２に送信した積算電力量データＤｔの値を表示部１４に表示させて測定処理８０を終了する。
【０１８４】
また、携帯情報端末２では、処理部２６が、上記のような電力計１への制御データＤ２１の送信に続き、その時点における最新の撮像データＤｐ（すなわち、タッチ操作が行なわれた際の測定対象像５３ｃのデータ：「第２の撮像データ」の一例）を記憶部２７に記憶させると共に（第２の撮像処理の一例：ステップ９６）、電力計１において積算電力量の演算が終了された旨を報知するブザー音をスピーカ２５から出力させる。また、処理部２６は、測定結果表示５０Ａ内における上記の測定対象像５３ｃを、保存した撮像データＤｐの像（「第２の撮像データ」の像の一例）に固定する（継続的に表示させる）。これにより、計量用円板におけるマーク付与部が電力量計Ｍの真正面に位置した状態の測定対象像５３ｃが測定結果表示５０Ａに表示された状態が維持される。
【０１８５】
次いで、処理部２６は、電力計１から積算電力量データＤｔが送信されたか否かを監視する（ステップ９７）。この際に、電力計１から送信された上記の積算電力量データＤｔが通信部２２ａによって受信されたときに（「予め規定されたデータ生成条件が満たされたとき」の一例）、処理部２６は、その積算電力量データＤｔを記憶部２７に記憶させ、図９に示す測定結果表示５０Ａを「測定結果」として表示部２４に表示させると共に（ステップ９８）、報告書データＤｒ（「測定結果データ」の一例）を生成する（ステップ９９）。なお、本例の測定システム１００（携帯情報端末２）では、一例として、測定結果表示５０Ａのデータ（測定結果表示５０Ａを表示させるためのデータ）を報告書データＤｒとして生成する構成が採用されている。
【０１８６】
具体的には、処理部２６は、測定システム用プログラムＤｓ２に従い、まず、「計器定数」に基づいて演算した「基準積算電力量」、すなわち、電力量計Ｍや電源ラインＬが正常なときに電力量計Ｍにおける計量用円板が１回転する間に負荷に供給されるべき「積算電力量」であって、「開始スイッチ」や「終了スイッチ」の操作が計量用円板の回転に同期して正確に行われたときに「開始スイッチ」の操作から「終了スイッチ」の操作までの間に演算されるべき「積算電力量」と、記憶部２７に記憶させた積算電力量データＤｔの値、すなわち、電力量計Ｍにおける計量用円板が１回転する間に負荷に供給された「積算電力量の実測値」との「相違量」を演算する。また、処理部２６は、「基準積算電力量」に対する「積算電力量の実測値」の割合を「充足率」として演算する。
【０１８７】
次いで、処理部２６は、積算電力量データＤｔの値（積算電力量の実測値）を積算電力量表示５５ｃとして測定結果表示５０Ａに表示させると共に（「終了スイッチが操作されるまで積算電力量を表示部に表示させずに、終了スイッチが操作されたときに積算電力量を表示部に表示させる」との処理の一例）、演算した「充足率」を充足率表示５４ｃとして測定結果表示５０Ａに表示させ、かつ演算した「相違量」を相違量表示５６ｂとして測定結果表示５０Ａに表示させる。続いて、処理部２６は、表示させた測定結果表示５０Ａのデータを報告書データＤｒとして記憶部１７に記憶させ、このデータ生成処理９０を終了する。
【０１８８】
これにより、「計器定数」に基づいて演算された基準積算電力量表示５６ａの値（基準積算電力量）、電力計１によって測定された積算電力量データＤｔの値（積算電力量の実測値）、「基準積算電力量」に対する「積算電力量の実測値」の割合（充足率）、および「積算電力量の実測値」と「基準積算電力量」との相違量に加え、測定処理の開始時における電力量計Ｍを撮像した測定対象像５３ａ、および測定処理の終了時における電力量計Ｍを撮像した測定対象像５３ｃを含む情報が表示部２４に表示されると共に、その表示内容と同様の測定環境データＤｆが「測定結果データ」として生成される。
【０１８９】
この場合、電力量計Ｍや電源ラインＬが正常な状態のときには、上記のステップ９１において「開始スイッチの操作が行なわれた」と判別した時点、すなわち、電力量計Ｍの計量用円板におけるマーク付与部が電力量計Ｍの真正面に位置した時点（以下、「第１の時点」ともいう）から、上記のステップ９４において「終了スイッチの操作が行なわれた」と判別した時点、すなわち、電力量計Ｍの計量用円板におけるマーク付与部が電力量計Ｍの真正面に再び位置した時点（以下、「第２の時点」ともいう）までに電力計１によって測定された「積算電力量の実測値（積算電力量データＤｔの値）」が「基準積算電力量」と等しい値となる。したがって、「積算電力量の実測値」と「基準積算電力量」との相違量が「０．００Ｗｈ」で、「充足率」が「１００％」の場合には、電力量計Ｍや電源ラインＬが正常な状態であると判別することができる。
【０１９０】
一方、電力量計Ｍの故障・改造や、電源ラインＬへのバイパス路の並設に起因して、電力量計Ｍによる計測値が実際の消費電力量よりも少なく計測される状態のときには、上記の「第１の時点」から「第２の時点」までに電力計１によって測定された「積算電力量の実測値（積算電力量データＤｔの値）」が「基準積算電力量」よりも大きい値となる。したがって、「積算電力量の実測値」が「基準積算電力量」よりも大きいとの相違量で、「充足率」が「１００％」を超えた値となっている場合には、電力量計Ｍや電源ラインＬに異常が生じていると判別することができる。
【０１９１】
また、電力量計Ｍの故障等に起因して、電力量計Ｍによる計測値が実際の消費電力量よりも多く計測される状態のときには、上記の「第１の時点」から「第２の時点」までに電力計１によって測定された「積算電力量の実測値（積算電力量データＤｔの値）」が「基準積算電力量」よりも小さな値となる。したがって、「積算電力量の実測値」が「基準積算電力量」よりも小さいとの相違量で、「充足率」が「１００％」を下回る値となっている場合には、電力量計Ｍ等に異常が生じていると判別することができる。
【０１９２】
この場合、本例の測定システム１００では、測定対象像５３ａの表示部位へのタッチ操作（「開始スイッチ」の操作）が行なわれて電力計１による積算電力量の演算が開始されてから、測定対象像５３ｃの表示部位へのタッチ操作（「終了スイッチ」の操作）が行なわれて電力計１による積算電力量の演算が終了されるまで、電力計１によって演算中の「積算電力量」が電力計１の表示部１４や携帯情報端末２の表示部２４に表示されない状態が維持され、測定対象像５３ｃの表示部位へのタッチ操作（「終了スイッチ」の操作）が行なわれたときに、演算結果（測定結果）としての「積算電力量（積算電力量データＤｔの値）」が表示部１４，２４に表示される構成が採用されている。
【０１９３】
したがって、表示部１４，２４への表示を参照しつつ上記の操作（作業）を行ったとしても、測定対象像５３ａの表示部位へのタッチ操作（「開始スイッチ」の操作）を行なった後、電力計１による演算結果（測定結果）が「基準積算電力量」と等しい値となった瞬間に測定対象像５３ｃの表示部位へのタッチ操作（「終了スイッチ」の操作）を行なう悪意の操作（「積算電力量の実測値」を「基準積算電力量」と一致させる意図的な測定作業）の実行が困難となっている。
【０１９４】
一方、演算中の（測定中の）「積算電力量」が表示されなくても、例えば、上記の一連の作業を複数回実行することにより、測定対象像５３ａの表示部位へのタッチ操作（「開始スイッチ」の操作）を行なってから電力計１によって「基準積算電力量」と等しい値の積算電力量が演算されるまでに要する時間を特定し、特定した時間に応じて測定対象像５３ａ，５３ｃの表示部位へのタッチ操作を行うタイミングを調整することにより、「相違量：０．００Ｗｈ」で「充足率：１００％」との情報を測定結果表示５０Ａを表示部２４に表示させ、かつその測定結果表示５０Ａに対応する報告書データＤｒを生成することができる可能性がある。
【０１９５】
しかしながら、測定対象像５３ａ，５３ｃの表示部位へのタッチ操作を行うタイミングを調整することで「相違量：０．００Ｗｈ」で「充足率：１００％」との情報を測定結果表示５０Ａに表示させ、かつその報告書データＤｒを生成するためには、測定対象像５３ａの表示部位へのタッチ操作、および測定対象像５３ｃの表示部位へのタッチ操作の少なくとも一方を電力量計Ｍにおける計量用円板の回転状態とは無関係に実施する必要が生じる。
【０１９６】
したがって、電力量計Ｍの故障・改造や、電源ラインＬへのバイパス路の並設が生じている状態において「相違量：０．００Ｗｈ」で「充足率：１００％」との情報を測定結果表示５０Ａに表示させ、かつその報告書データＤｒを生成した場合には、測定対象像５３ａの表示部位に対するタッチ操作時にカメラ２１によって撮像された撮像データＤｐの測定対象像５３ａ、および測定対象像５３ｃの表示部位に対するタッチ操作時にカメラ２１によって撮像された撮像データＤｐの測定対象像５３ｃの少なくとも一方において、計量用円板のマーク付与部が電力量計Ｍの真正面（中央部）に位置していない状態となる。
【０１９７】
これに対して、電力量計Ｍや電源ラインＬが正常な状態において、「相違量：０．００Ｗｈ」で「充足率：１００％」との情報を測定結果表示５０Ａに表示させ、かつその報告書データＤｒを生成した場合には、測定対象像５３ａの表示部位に対するタッチ操作時にカメラ２１によって撮像された撮像データＤｐの測定対象像５３ａ、および測定対象像５３ｃの表示部位に対するタッチ操作時にカメラ２１によって撮像された撮像データＤｐの測定対象像５３ｃの双方において、計量用円板のマーク付与部が電力量計Ｍの真正面（中央部）に位置した状態となる。
【０１９８】
このため、本例の測定システム１００では、「相違量：０．００Ｗｈ」、および「充足率：１００％」との情報と共に、計量用円板のマーク付与部が電力量計Ｍの真正面（中央部）に位置した状態の測定対象像５３ａ，５３ｃが測定結果表示５０Ａ内に表示され、その報告書データＤｒが「測定結果データ」として生成されたときに、電力量計Ｍや電源ラインＬが正常で、かつ不正な測定作業が行われていないと特定することが可能となっている。以上により、測定作業（電力量計Ｍの動作確認作業）が完了する。
【０１９９】
なお、電力量計Ｍが誘導形電力量計であったときの例について説明したが、電力量計Ｍが電子式電力量計のときには、上記の例における計量用円板のマーク付与部の位置による判断に代わり、電力量計Ｍの計量パルス報知部（ＬＥＤ等の発光部）の点灯状態によって電力量計Ｍが積算電力量を正確に計量していたか否かを判断すればよい。
【０２００】
具体的には、「基準積算電力量」としての「計量パルス報知部の１点滅動作当りに負荷に供給される積算電力量」の指定（演算）が完了している状態において、電力量計Ｍの計量パルス報知部が点灯したタイミングに合わせて「開始スイッチ」を操作する（本例では、測定対象像５３ａの表示部位に対するタッチ操作を行う）。この際には、上記の例のときと同様にして、電力計１による積算電力量の演算が開始されると共に、計量パルス報知部が点灯した状態の像がカメラ２１によって撮像されて表示部２４（測定結果表示５０Ａ）に測定対象像５３ａが固定的に表示される。
【０２０１】
また、電力量計Ｍの計量パルス報知部が再び点灯したタイミングに合わせて「終了スイッチ」を操作することにより、上記の例のときと同様にして、電力計１による積算電力量の演算が終了して報告書データＤｒが携帯情報端末２に送信されると共に、計量パルス報知部が点灯した状態の像がカメラ２１によって撮像されて表示部２４（測定結果表示５０Ａ）に測定対象像５３ｃが固定的に表示される。したがって、電力量計Ｍが誘導形電力量計であったときの上記の例と同様にして、これらの情報に基づき、電力量計Ｍによって積算電力量が正確に計量されていたか否かを正確かつ容易に把握させることができきる。
【０２０２】
この後、携帯情報端末２において生成した上記の報告書データＤｒを通信部２２ｂおよびネットワークＮを介してデータサーバ３に転送することにより、データサーバ３に接続可能な図示しないパーソナルコンピュータを使用してデータサーバ３から報告書データＤｒをダウンロードし、測定結果表示５０Ａを表示させたり、印刷装置から印刷したりすることができる。これにより、その測定結果表示５０Ａの表示内容（または印刷内容）に基づき、電力量計Ｍが積算電力量を正確に計量していたか否かを正確かつ容易に把握することができる。
【０２０３】
このように、この測定システム１００では、開始スイッチが操作されたときに（データ生成処理９０のステップ９１）、携帯情報端末２の処理部２６が演算開始を指示する制御データを送信し（データ生成処理９０のステップ９２、および測定処理８０のステップ８１）、電力計１の処理部１６が「電力量」に基づく「積算電力量」の演算を開始し（ステップ８２）、終了スイッチが操作されたときに（データ生成処理９０のステップ９４）、処理部２６が演算終了を指示する制御データを送信し（データ生成処理９０のステップ９５、および測定処理８０のステップ８３）、処理部１６が「積算電力量」の演算を終了し（ステップ８４）、「データ生成条件」が満たされたとき（本例では、電力計１から携帯情報端末２に積算電力量データＤｔが送信されたとき：ステップ９７）に、処理部２６が演算した「積算電力量」と開始スイッチが操作されてから終了スイッチが操作されるまでの間に演算されるべき「基準積算電力量」とを含ませて報告書データＤｒを生成する（ステップ９９）。また、この測定システム用プログラムＤｓ１，Ｄｓ２は、上記の処理を携帯情報端末２の処理部２６、および電力計１の処理部１６に実行させる。
【０２０４】
したがって、この測定システム１００、および測定システム用プログラムＤｓ１，Ｄｓ２によれば、生成される報告書データＤｒの内容を参照するだけで、実測された「積算電力量」と、本来測定されるべき「基準積算電力量」とを対比して、電力量計Ｍの異常を示す測定結果であるのか電力量計Ｍが正常であることを示す測定結果であるかを直ちに判断することが可能となる。
【０２０５】
また、この測定システム１００では、開始スイッチが操作されたときに（データ生成処理９０のステップ９１）、携帯情報端末２の処理部２６がカメラ２１を制御して「第１の撮像処理」を実行させると共に（ステップ９３）、終了スイッチが操作されたときに（データ生成処理９０のステップ９４）、処理部２６がカメラ２１を制御して第２の撮像処理を実行させ（ステップ９６）、「データ生成条件」が満たされたとき（本例では、電力計１から携帯情報端末２に積算電力量データＤｔが送信されたとき：ステップ９７）に、処理部２６が「第１の撮像処理」によって生成された撮像データＤｐ（測定対象像５３ａのデータ）、および「第２の撮像処理」によって生成された撮像データＤｐ（測定対象像５３ｃのデータ）を含ませて報告書データＤｒを生成する（ステップ９９）。また、この測定システム用プログラムＤｓ２は、上記の処理を携帯情報端末２の処理部２６に実行させる。
【０２０６】
したがって、この測定システム１００、および測定システム用プログラムＤｓ２によれば、「第１の撮像処理」によって生成された撮像データＤｐの測定対象像５３ａ、および第２の撮像処理によって生成された撮像データＤｐの測定対象像５３ｃの双方に電力量計Ｍの計量用円板のマーク付与部（または、点灯状態の計量パルス報知部）が写っていれば、報告書データＤｒに含まれている「積算電力量」が正しい測定作業によって得られた値であると特定することができ、「第１の撮像処理」によって生成された撮像データＤｐの測定対象像５３ａ、および第２の撮像処理によって生成された撮像データＤｐの測定対象像５３ｃのいずれかに電力量計Ｍの計量用円板のマーク付与部（または、点灯状態の計量パルス報知部）が写っていなければ、報告書データＤｒに含まれている「積算電力量」が正しい測定作業によって得られた値ではないと特定することができる。これにより、実測された「積算電力量」だけで構成された報告書データＤｒを生成するのと比較して、電力量計Ｍが「積算電力量」を正確に計量しているか否かを正確かつ容易に判断し得る報告書データＤｒを確実かつ容易に生成することができる。
【０２０７】
また、この測定システム１００では、処理部２６が、電力量計Ｍの「計器定数」を特定可能な「計器定数データ」を取得したときに、「計器定数データ」によって特定される「計器定数」に基づき、電力量計Ｍが誘導形電力量計のときには、計量用円板の１回転当りに負荷に供給される「積算電力量」を「基準積算電力量」として演算すると共に、電力量計Ｍが電子式電力量計のときには、計量パルス報知部の１点滅動作当りに負荷に供給される「積算電力量」を「基準積算電力量」として演算し、演算した「基準積算電力量」を含ませて報告書データＤｒを生成する。また、この測定システム用プログラムＤｓ２は、上記の処理を携帯情報端末２の処理部２６に実行させる。したがって、この測定システム１００、および測定システム用プログラムＤｓ２によれば、報告書データＤｒに含まれている「積算電力量（実測値）」が、正確に計量している状態の電力量計Ｍによって計量されるべき「積算電力量（基準値）」と一致しているか否かを容易に特定可能な報告書データＤｒを提供することができる。
【０２０８】
さらに、この測定システム１００では、処理部２６が、「積算電力量」と「基準積算電力量」との「相違量」を含ませて報告書データＤｒを生成する。また、この測定システム用プログラムＤｓ２は、上記の処理を携帯情報端末２の処理部２６に実行させる。したがって、この測定システム１００、および測定システム用プログラムＤｓ２によれば、報告書データＤｒに含まれている「積算電力量（実測値）」が、正確に計量している状態の電力量計Ｍによって計量されるべき「積算電力量（基準値）」とどの程度相違しているかを容易に特定可能な報告書データＤｒを提供することができる。
【０２０９】
また、この測定システム１００では、処理部２６が、終了スイッチが操作されるまで「積算電力量」を表示部２４に表示させずに、終了スイッチが操作されたときに「積算電力量」を表示部２４に表示させる。また、この測定システム用プログラムＤｓ２は、上記の処理を携帯情報端末２の処理部２６に実行させる。したがって、この測定システム１００、および測定システム用プログラムＤｓ２によれば、測定中の「積算電力量」の値に応じて「終了スイッチ」を操作するタイミングを特定することができないため、実態とは異なる「積算電力量」が含まれた報告書データＤｒが生成される事態を好適に回避することができる。
【０２１０】
さらに、この測定システム１００では、電圧測定部１１Ｖおよび電流測定部１１Ａを少なくとも有する電力計１と、操作部２３およびカメラ２１を少なくとも有して電力計１とは別体に構成された携帯情報端末２とを備え、「演算部」としての処理部１６が電圧値データＤｖおよび電流値データＤａの値に基づいて「電力量」を演算可能に構成されて電力計１に配設されている。したがって、この測定システム１００、および測定システム用プログラムＤｓ１，Ｄｓ２によれば、電圧測定部１１Ｖおよび電流測定部１１Ａによる電圧値データＤｖおよび電流値データＤａの取得を行う部位と、電力量計Ｍの設置場所とがある程度離れていても、電力量計Ｍを確実に撮像可能な場所で「開始スイッチ」や「終了スイッチ」を操作することができる。
【０２１１】
なお、「測定システム」の構成や、「測定システム用プログラム」の処理内容については、上記の例に限定されない。例えば、電力計１および携帯情報端末２を組み合わせて使用する使用形態として、電力計１の処理部１６によって演算される積算電力量が「第１の値」のＮ＝１倍に達したときに、携帯情報端末２においてその旨を報知する構成・方法を例に挙げて説明したが、「Ｎ」の値は、「１」に限定されず、「２」以上の任意の自然数とすることができる。この場合、電力計１によって実測される正しい積算電力量と電力量計Ｍによる計量値との計量用円板の１回転当り（または、計量パルス報知部の１点滅動作当り）に生じる誤差が小さいときには、「Ｎ」の値を十分に大きくすることにより、その小さな誤差がＮ倍となって現れるため、電力量計Ｍが積算電力量を正確に計量しているか否かを正確に判断することが可能となる。
【０２１２】
また、上記の測定システム１００ように、「第１の装置（電力計１）」および「第２の装置（携帯情報端末２）」を備えて「測定システム」を構成する場合には、「演算部」や「処理部」を「第２の装置（携帯情報端末２）」の構成要素とすることができる。具体的には、測定システム１００における電力計１において電圧値の測定および電流値の測定を行って電圧値データＤｖおよび電流値データＤａを携帯情報端末２に送信し、携帯情報端末２において電圧値データＤｖおよび電流値データＤａに基づく電力量データＤｗの生成（電力量の演算）や電力量データＤｗに基づく積算電力量データＤｔの生成（積算電力量の演算）を行う構成を採用することができる。
【０２１３】
さらに、「演算部」を「第１の装置（電力計１）」の構成要素とし、「処理部」を「第２の装置（携帯情報端末２）」の構成要素とすることもできる。具体的には、測定システム１００における電力計１において電圧値の測定および電流値の測定、並びに電圧値データＤｖおよび電流値データＤａに基づく電力量データＤｗの生成（電力量の演算）を行って電力量データＤｗを携帯情報端末２に送信し、携帯情報端末２においてや電力量データＤｗに基づく積算電力量データＤｔの生成（積算電力量の演算）を行う構成を採用することができる。
【０２１４】
また、「開始スイッチ」が操作されたときに「開始条件」が満たされたものとして積算電力量の演算を開始する構成・方法を例に挙げて説明したが、このような構成・方法に代えて（または、このような構成・方法に加えて）、例えば、携帯情報端末２のカメラ２１によって電力量計Ｍを極く短い周期で撮像し、その都度、撮像データを画像解析することにより、計量用円板のマーク付与部が電力量計Ｍの真正面に位置した瞬間、または、計量パルス報知部が点灯した瞬間を特定し、その瞬間を「開始条件が満たされたとき」として積算電力量の演算を開始する構成・方法を採用することができる。
【０２１５】
また、スピーカ１５，２５からのブザー音の出力、測定結果表示６０の背景色の変更、および測定結果表示５０への測定対象像５３ａ，５３ｃの表示などを「測定された積算電力量が第１の値のＮ倍に達したことを特定可能な第１の情報」として報知させる構成・方法を例に挙げて説明したが、このような構成・方法に代えて（または、このような構成・方法に加えて）、「測定された積算電力量が第１の値のＮ倍に達したこと」を報知するためのＬＥＤ等の発光部を発光させることでこれを報知することもできる。
【０２１６】
さらに、「測定結果生成処理」を実行可能な「測定システム」に関して、電力計１および携帯情報端末２を組み合わせて構成した例について説明したが、「電力計」に「撮像部（カメラ）」や「操作部」を配設することにより、その「電力計」単体で「測定システム」を構成することもできる。
【０２１７】
また、「電力計」単体で「測定システム」を構成する際に、その「測定システム（電力計）」に「撮像部」を配設せずに、「第１の撮像処理」や「第２の撮像処理」を実行しない構成を採用することもできる。このような構成の「測定システム（電力計）」、およびその「測定システム用プログラム」においても、「データ生成条件が満たされたときに、演算した積算電力量と基準積算電力量とを含ませて測定結果データを生成する」との構成・処理手順を有している限り、生成される「測定結果データ」の内容を参照するだけで、実測された「積算電力量」と、本来測定されるべき「基準積算電力量」とを対比して、電力量計の異常を示す測定結果であるのか電力量計が正常であることを示す測定結果であるかを直ちに判断することが可能となる。
【０２１８】
また、「測定結果生成処理」を実行可能な「測定システム」において「表示部」は必須の構成要素ではなく、処理結果（測定結果）を表示させることなく「測定結果データ」を生成する構成を採用することもできる。
【０２１９】
さらに、携帯情報端末２の操作部２３や電力計１の操作部１３を操作して電力量計Ｍの「計器定数」を入力することで「第１の値」を規定したり「基準積算電力量」を演算したりする構成・方法を例に挙げて説明したが、「第１の値」や「基準積算電力量」を取得するための構成・方法は、上記の例に限定されない。具体的には、電力量計Ｍが誘導形電力量計のときには、計量用円板の１回転当りに負荷に供給される積算電力量を「第１の値」や「基準積算電力量」として直接入力させ、電力量計Ｍが電子式電力量計のときには、計量パルス報知部の１点滅動作当りに負荷に供給される積算電力量を「第１の値」や「基準積算電力量」として直列入力させる構成・方法を採用することができる。
【０２２０】
また、例えば電力量計Ｍの正面パネルを携帯情報端末２のカメラ２１によって撮像し、その撮像データを解析することで「計器定数」を特定して「第１の値」や「基準積算電力量」を演算したり、携帯情報端末２の表示部２４を操作して電力量計Ｍの形式番号等を入力することで、入力した番号に対応付けられている「計器定数」を、そのような情報が蓄積されたサーバからダウンロードして取得して「第１の値」や「基準積算電力量」を演算したり、番号に対応付けられている「第１の値」や「基準積算電力量」を、そのような情報が蓄積されたサーバからダウンロードして取得したりする構成・方法を採用することもできる。
【０２２１】
さらに、測定対象の「電力量計」の種類が限られている場合には、それらの「電力量計」の「計器定数」、または、対応する「第１の値」や「基準積算電力量」の選択候補を電力計１や携帯情報端末２に予め登録しておき、測定作業に際しては、登録されている選択候補のなかから任意の「計器定数」を選択することで「第１の値」や「基準積算電力量」を演算させたり、登録されている選択候補のなかから任意の「第１の値」や任意の「基準積算電力量」を選択したりする構成・方法を採用することもできる。加えて、「単相二線」の電源ラインＬ（導線Ｌａ，Ｌｂ）を対象として一連の処理を実行する例について説明したが、測定対象の「導電路」はこれに限定されず、「単相三線」や「三相四線」などの各種の「導電路」を測定対象とすることができる。
【符号の説明】
【０２２２】
１００  測定システム
１  電力計
２  携帯情報端末
３  データサーバ
１１Ａ  電流測定部
１１Ｖ  電圧測定部
１２，２２ａ，２２ｂ  通信部
１３，２３  操作部
１４，２４  表示部
１５，２５  スピーカ
１６，２６  処理部
１７，２７  記憶部
２１  カメラ
３０，４０，７０  報知処理
５０，５０Ａ  測定結果表示
５３ａ〜５３ｃ  測定対象像
５４ａ〜５４ｃ  充足率表示
５５ａ〜５５ｃ  積算電力量表示
５６ａ  基準積算電力量表示
５６ｂ  相違量表示
６１  積算電力量表示
６２  確認用表示
６２ａ  単位電力量表示
６２ｂ  充足率表示
６２ｃ  円グラフ表示
８０  測定処理
９０  データ生成処理
Ｄ１２，Ｄ２１  制御データ
Ｄａ  電流値データ
Ｄｆ  測定環境データ
Ｄｐ  撮像データ
Ｄｒ  報告書データ
Ｄｓ１，Ｄｓ２  測定システム用プログラム
Ｄｔ  積算電力量データ
Ｄｖ  電圧値データ
Ｄｗ  電力量データ
Ｌ  電源ライン
Ｌａ，Ｌｂ  導線
Ｍ  電力量計
【図１】
2017201287.tif 000003
【図２】
2017201287.tif 000004
【図３】
2017201287.tif 000005
【図４】
2017201287.tif 000006
【図５】
2017201287.tif 000007
【図６】
2017201287.tif 000008
【図７】
2017201287.tif 000009
【図８】
2017201287.tif 000010
【図９】
2017201287.tif 000011
【図１０】
2017201287.tif 000012
【図１１】
2017201287.tif 000013